(57)【特許請求の範囲】
【請求項１】
狭い波長帯域で発光する発光素子（Ｌｒ１，Ｌｒ２，…，Ｌｒａ）と前記発光素子（Ｌｒ１，Ｌｒ２，…，Ｌｒａ）を駆動する駆動回路（Ｐｒ１，Ｐｒ２，…，Ｐｒａ）を具備するユニットを１個の要素光源（Ｕｒ１）として、該要素光源（Ｕｒ１，Ｕｇ１，Ｕｂ１，…）の複数個と、前記駆動回路（Ｐｒ１，Ｐｒ２，…，Ｐｒａ，Ｐｇ１，Ｐｇ２，…）を制御する制御回路（Ｍｃ）と、を有し、前記発光素子（Ｌｒ１，Ｌｒ２，…，Ｌｒａ，Ｌｇ１，Ｌｇ２，…）からの放射光からなる、Ｒ，Ｇ，Ｂの３原色のＲ色出力光束（Ｆｒ）とＧ色出力光束（Ｆｇ）とＢ色出力光束（Ｆｂ）とを、それぞれ異なる光路を経由して分離して外部に放射する光源装置であって、
前記Ｇ色出力光束（Ｆｇ）は、Ｇ色の発光素子（Ｌｇ１，Ｌｇ２，…）からの主成分光（Ｆｇｍ）を含み、前記Ｒ色出力光束（Ｆｒ）は、Ｒ色の発光素子（Ｌｒ１，Ｌｒ２，…）からの主成分光（Ｆｒｍ）に加えて、前記Ｇ色の発光素子（Ｌｇ１，Ｌｇ２，…）とは独立なＧ色の発光素子（Ｌｒａ）からの付加光（Ｆｒａ）を混合して生成されることが可能であり、かつ、前記Ｂ色出力光束（Ｆｂ）は、Ｂ色の発光素子（Ｌｂ１，Ｌｂ２，…）からの主成分光（Ｆｂｍ）に加えて、前記Ｇ色の発光素子（Ｌｇ１，Ｌｇ２，…）とは独立なＧ色の発光素子（Ｌｂａ）からの付加光（Ｆｂａ）を混合して生成されることが可能であり、
さらに前記光源装置は、前記Ｒ色出力光束（Ｆｒ）および前記Ｇ色出力光束（Ｆｇ）、前記Ｂ色出力光束（Ｆｂ）それぞれが入射され、入射された光を測定して、光の色度座標と光の強度とに相関する光束色度強度相関データ（Ｄｒ，Ｄｇ，Ｄｂ）を生成する、Ｒ色光束特性測定手段（Ａｒ）およびＧ色光束特性測定手段（Ａｇ）、Ｂ色光束特性測定手段（Ａｂ）を有しており、
前記制御回路（Ｍｃ）は、前記Ｒ色出力光束（Ｆｒ）および前記Ｇ色出力光束（Ｆｇ）、前記Ｂ色出力光束（Ｆｂ）それぞれについての前記光束色度強度相関データ（Ｄｒ，Ｄｇ，Ｄｂ）を少なくとも間欠的に取得し、前記光束色度強度相関データ（Ｄｒ，Ｄｇ，Ｄｂ）に基づき、前記付加光を混合して生成された出力光束についての、色度座標の少なくとも片方に相関する単色色相指示値を生成し、該単色色相指示値が目標値に一致するよう、前記主成分光の強度に対する前記付加光の強度の比率を決定し、
さらに前記制御回路（Ｍｃ）は、前記付加光を混合して生成された出力光束については取得した前記光束色度強度相関データ（Ｄｒ，Ｄｇ，Ｄｂ）に基づき、前記Ｒ色出力光束（Ｆｒ）および前記Ｇ色出力光束（Ｆｇ）、前記Ｂ色出力光束（Ｆｂ）を総合した光についての、色度座標に相関する総合色相指示値を生成し、該総合色相指示値に対して、定めた目標値との差異が小さくなるよう、前記Ｒ色出力光束（Ｆｒ）および前記Ｇ色出力光束（Ｆｇ）、前記Ｂ色出力光束（Ｆｂ）それぞれの前記駆動回路（Ｐｒ１，Ｐｒ２，…，Ｐｒａ，Ｐｇ１，Ｐｇ２，…）をフィードバック制御することを特徴とする光源装置。  
【請求項２】
前記制御回路（Ｍｃ）は、前記Ｒ色出力光束（Ｆｒ）および前記Ｇ色出力光束（Ｆｇ）、前記Ｂ色出力光束（Ｆｂ）を総合した光について、前記の色度座標に相関する総合色相指示値に加えて明るさに相関する明度指示値を生成し、前記明度指示値とその目標値の差異が小さくなるよう、前記駆動回路（Ｐｒ１，Ｐｒ２，…，Ｐｒａ，Ｐｇ１，Ｐｇ２，…）をフィードバック制御することを特徴とする請求項１に記載の光源装置。  
【請求項３】
前記Ｇ色出力光束（Ｆｇ）は、前記Ｇ色の発光素子（Ｌｇ１，Ｌｇ２，…）からの前記主成分光（Ｆｇｍ）に加えて、前記Ｒ色の発光素子（Ｌｒ１，Ｌｒ２，…）および前記Ｇ色の発光素子（Ｌｇ１，Ｌｇ２，…）、前記Ｂ色の発光素子（Ｌｂ１，Ｌｂ２，…）とは独立なＲ色またはＧ色、Ｂ色の発光素子からの付加光を混合して生成されることが可能であることを特徴とする請求項１または請求項２に記載の光源装置。  
【請求項４】
前記Ｒ色光束特性測定手段（Ａｒ）および前記Ｇ色光束特性測定手段（Ａｇ）、前記Ｂ色光束特性測定手段（Ａｂ）それぞれは、入射された出力光束の前記主成分光（Ｆｒｍ，Ｆｇｍ，Ｆｂｍ）についての基準波長からの偏差および強度を測定し、前記付加光（Ｆｒａ，Ｆｇａ，Ｆｂａ）を混合して生成された出力光束については、さらに前記付加光（Ｆｒａ，Ｆｇａ，Ｆｂａ）についての強度を測定して、前記光束色度強度相関データ（Ｄｒ，Ｄｇ，Ｄｂ）を生成することを特徴とする請求項１から請求項３のいずれか１項に記載の光源装置。  
【請求項５】
前記Ｒ色光束特性測定手段（Ａｒ）および前記Ｇ色光束特性測定手段（Ａｇ）、前記Ｂ色光束特性測定手段（Ａｂ）それぞれは、入射された出力光束の前記主成分光（Ｆｒｍ，Ｆｇｍ，Ｆｂｍ）についての基準波長からの偏差および強度を測定するために、少なくとも前記主成分光（Ｆｒｍ，Ｆｇｍ，Ｆｂｍ）の波長近傍で、波長の変化に対する感度の変化率が相異なる、第１光量検出器（Ａｒｍ１）と第２光量検出器（Ａｒｍ２）とを具備することを特徴とする請求項１から請求項３のいずれか１項に記載の光源装置。  
【請求項６】
前記制御回路（Ｍｃ）は、色度の計算に必要な等色関数それぞれについて、前記Ｒ色出力光束（Ｆｒ）および前記Ｇ色出力光束（Ｆｇ）、前記Ｂ色出力光束（Ｆｂ）の前記主成分光（Ｆｒｍ，Ｆｇｍ，Ｆｂｍ）の基準波長における関数値と波長の変化に対する関数の変化率、および前記付加光（Ｆｒａ，Ｆｇａ，Ｆｂａ）の基準波長における関数値とからなる局所帯域等色関数情報を保有しており、
前記付加光（Ｆｒａ，Ｆｇａ，Ｆｂａ）を混合して生成された出力光束について、前記光束色度強度相関データ（Ｄｒ，Ｄｇ，Ｄｂ）と、前記局所帯域等色関数情報とを用いて、前記単色色相指示値に代わる単色色相指示値を生成するとともに、
前記Ｒ色出力光束（Ｆｒ）および前記Ｇ色出力光束（Ｆｇ）、前記Ｂ色出力光束（Ｆｂ）を総合した光について、前記光束色度強度相関データ（Ｄｒ，Ｄｇ，Ｄｂ）と、前記局所帯域等色関数情報とを用いて、前記総合色相指示値に代わる総合色相指示値を生成することを特徴とする請求項１から請求項５のいずれか１項に記載の光源装置。  
【請求項７】
前記制御回路（Ｍｃ）は、前記Ｒ色出力光束（Ｆｒ）および前記Ｇ色出力光束（Ｆｇ）、前記Ｂ色出力光束（Ｆｂ）それぞれについて、前記光束色度強度相関データ（Ｄｒ，Ｄｇ，Ｄｂ）に基づき、前記単色色相指示値に代えて強度に相関する光束強度指示値を生成し、
さらに前記制御回路（Ｍｃ）は、前記Ｒ色出力光束（Ｆｒ）および前記Ｇ色出力光束（Ｆｇ）、前記Ｂ色出力光束（Ｆｂ）それぞれについての前記光束強度指示値を微小変化させたときの前記総合色相指示値の変化量を、前記した前記光束強度指示値の変化量を用いて、その線形演算で表すときの係数を決定し、前記係数を介して前記Ｒ色出力光束（Ｆｒ）および前記Ｇ色出力光束（Ｆｇ）、前記Ｂ色出力光束（Ｆｂ）それぞれについての前記光束強度指示値の変化量を決定して前記したフィードバック制御を行うことを特徴とする請求項１から請求項６のいずれか１項に記載の光源装置。
【請求項８】
前記第１光量検出器（Ａｒｍ１）と前記第２光量検出器（Ａｒｍ２）とは、それぞれ光センサ（Ｃｒ１，Ｃｒ２）を有し、前記光センサ（Ｃｒ１，Ｃｒ２）の少なくとも一方の前面に、波長の変化に対する分光透過率が変化する特性フィルタ（Ｅｒｓ１，Ｅｒｓ２）を設けることを特徴とする請求項５に記載の光源装置。  
【請求項９】
前記第１光量検出器（Ａｒｍ１）と前記第２光量検出器（Ａｒｍ２）とは、同じ光量検出器に対して交互に特性変化を与えることにより、時間分割によって実現するものであり、前記第１光量検出器（Ａｒｍ１）と前記第２光量検出器（Ａｒｍ２）とは、光センサ（Ｃｒ１，Ｃｒ２）を共有しており、前記第２光量検出器（Ａｒｍ２）として働く場合は、前記第１光量検出器（Ａｒｍ１）として働く場合とは異なる特性フィルタ（Ｅｒｓ１，Ｅｒｓ２）を設けることを特徴とする請求項５に記載の光源装置。  
【請求項１０】
前記第１光量検出器（Ａｒｍ１）と前記第２光量検出器（Ａｒｍ２）とが有する前記光センサの少なくとも一方が撮像素子であることを特徴とする請求項８または請求項９に記載の光源装置。
【請求項１１】
請求項１から請求項１０のいずれか１項に記載の光源装置を利用して画像を投影表示することを特徴とするプロジェクタ。
【発明の詳細な説明】
【技術分野】
【０００１】
本発明は、例えば、プロジェクタなどの光学装置において使用可能な、複数種類の異なる波長帯域の、半導体レーザなどの発光素子を用いた光源装置に関する。
【背景技術】
【０００２】
例えば、ＤＬＰ(TM)プロジェクタや液晶プロジェクタのような画像表示用のプロジェクタや、フォトマスク露光装置においては、これまで、キセノンランプや超高圧水銀ランプなどの高輝度放電ランプ（ＨＩＤランプ）が使用されてきた。
一例として、本発明のプロジェクタに係わる従来のプロジェクタの一種の一部の一形態を説明する図である、図８を用いてプロジェクタの原理について述べる（参考：特開２００４−２５２１１２号など）。
【０００３】
前記したように、高輝度放電ランプ等からなる光源（ＳｊＡ）からの光は、凹面反射鏡やレンズ等からなる集光手段（図示を省略）の助けを借りるなどして、光均一化手段（ＦｍＡ）の入射端（ＰｍｉＡ）に入力され、射出端（ＰｍｏＡ）から出力される。
ここで、前記光均一化手段（ＦｍＡ）として、例えば、光ガイドを使うことができ、これは、ロッドインテグレータ、ライトトンネルなどの名称でも呼ばれており、ガラスや樹脂などの光透過性の材料からなる角柱によって構成され、前記入射端（ＰｍｉＡ）に入力された光は、光ファイバと同じ原理に従って、前記光均一化手段（ＦｍＡ）の側面で全反射を繰り返しながら、前記光均一化手段（ＦｍＡ）の中を伝播することにより、仮に前記入射端（ＰｍｉＡ）に入力された光の分布にムラがあったとしても、前記射出端（ＰｍｏＡ）上の照度が十分に均一化されるように機能する。
【０００４】
なお、いま述べた光ガイドに関しては、前記した、ガラスや樹脂などの光透過性の材料からなる角柱によって構成されるものの他に、中空の角筒で、その内面が反射鏡になっており、同様に内面で反射を繰り返しながら光を伝播させ、同様の機能を果たすものもある。
【０００５】
前記射出端（ＰｍｏＡ）の四角形の像が、２次元光振幅変調素子（ＤｍｊＡ）上に結像されるよう、照明レンズ（Ｅｊ１Ａ）を配置することにより、前記射出端（ＰｍｏＡ）から出力された光によって前記２次元光振幅変調素子（ＤｍｊＡ）が照明される。
ただし、図８においては、前記照明レンズ（Ｅｊ１Ａ）と前記２次元光振幅変調素子（ＤｍｊＡ）との間にミラー（ＭｊＡ）を配置してある。
そして前記２次元光振幅変調素子（ＤｍｊＡ）は、映像信号に従って、画素毎に光を投影レンズ（Ｅｊ２Ａ）に入射される方向に向かわせる、あるいは入射されない方向に向かわせるように変調することにより、スクリーン（Ｔｊ）上に画像を表示する。
【０００６】
なお、前記したような２次元光振幅変調素子は、ライトバルブと呼ばれることもあり、図８の光学系の場合は、前記２次元光振幅変調素子（ＤｍｊＡ）として、一般にＤＭＤ(TM)（ディジタル・マイクロミラー・デバイス）が使われることが多い。
【０００７】
光均一化手段に関しては、前記した光ガイドの他に、フライアイインテグレータという名称で呼ばれるものもあり、この光均一化手段を使ったプロジェクタについて、一例として、本発明のプロジェクタに係わる従来のプロジェクタの一種の一部の一形態を説明する図である、図９を用いてその原理を述べる（参考：特開２００１−１４２１４１号など）。
【０００８】
高輝度放電ランプ等からなる光源（ＳｊＢ）からの光は、凹面反射鏡やレンズ等からなるコリメータ手段（図示を省略）の助けを借りるなどして、略平行光束として、フライアイインテグレータによる光均一化手段（ＦｍＢ）の入射端（ＰｍｉＢ）に入力され、射出端（ＰｍｏＢ）から出力される。
ここで、前記光均一化手段（ＦｍＢ）は、入射側の前段フライアイレンズ（Ｆ１Ｂ）と射出側の後段フライアイレンズ（Ｆ２Ｂ）と照明レンズ（Ｅｊ１Ｂ）の組合せで構成される。
前記前段フライアイレンズ（Ｆ１Ｂ）、前記後段フライアイレンズ（Ｆ２Ｂ）ともに、同一焦点距離、同一形状の四角形のレンズを、縦横それぞれに多数並べたものとして形成されている。
【０００９】
前記前段フライアイレンズ（Ｆ１Ｂ）の各レンズと、それぞれの後段にある、前記後段フライアイレンズ（Ｆ２Ｂ）の対応するレンズとは、ケーラー照明と呼ばれる光学系を構成しており、したがって、ケーラー照明光学系が縦横に多数並んでいることになる。
一般にケーラー照明光学系とは、２枚のレンズから構成され、前段レンズが光を集めて対象面を照明するに際し、前段レンズは、対象面に光源像を結像するのではなく、後段レンズ中央の面上に光源像を結像し、後段レンズが前段レンズの外形の四角形を対象面（照明したい面）に結像するよう配置することにより、対象面を均一に照明するものである。
後段レンズの働きは、もしこれが無い場合は、光源が完全な点光源でなく有限の大きさを持つとき、その大きさに依存して対象面の四角形の周囲部の照度が落ちる現象を防ぐためで、後段レンズによって、光源の大きさに依存せずに、対象面の四角形の周囲部まで均一な照度にすることができる。
【００１０】
ここで、図９の光学系の場合、前記光均一化手段（ＦｍＢ）には略平行光束が入力されることを基本としているため、前記前段フライアイレンズ（Ｆ１Ｂ）と前記後段フライアイレンズ（Ｆ２Ｂ）との間隔は、それらの焦点距離に等しくなるように配置され、よってケーラー照明光学系としての均一照明の対象面の像は無限遠に生成される。
ただし、前記後段フライアイレンズ（Ｆ２Ｂ）の後段には、前記照明レンズ（Ｅｊ１Ｂ）を配置してあるため、対象面は、無限遠から前記照明レンズ（Ｅｊ１Ｂ）の焦点面上に引き寄せられる。
縦横に多数並んでいるケーラー照明光学系は、入射光軸（ＺｉＢ）に平行であり、それぞれの中心軸に対して略軸対称に光束が入力されるため、出力光束も略軸対称であるから、レンズ面に同じ角度で入射した光線は、レンズ面上の入射位置によらず、焦点面上の同じ点に向かうよう屈折される、というレンズの性質、即ちレンズのフーリエ変換作用により、全てのケーラー照明光学系の出力は、前記照明レンズ（Ｅｊ１Ｂ）の焦点面上の同じ対象面に結像される。
【００１１】
その結果、前記前段フライアイレンズ（Ｆ１Ｂ）の各レンズ面での照度分布が全て重ね合わされ、よって、ケーラー照明光学系が１個の場合よりも照度分布がより均一となった、１個の合成四角形の像が、前記入射光軸（ＺｉＢ）上に形成されることになる。
前記合成四角形の像の位置に２次元光振幅変調素子（ＤｍｊＢ）を配置することにより、前記射出端（ＰｍｏＢ）から出力された光によって、照明対象である前記２次元光振幅変調素子（ＤｍｊＢ）が照明される。
ただし、照明に際しては、前記照明レンズ（Ｅｊ１Ｂ）と前記２次元光振幅変調素子（ＤｍｊＢ）との間に偏光ビームスプリッタ（ＭｊＢ）を配置して、これにより光が前記２次元光振幅変調素子（ＤｍｊＢ）に向けて反射されるようにしてある。
そして前記２次元光振幅変調素子（ＤｍｊＢ）は、映像信号に従って、画素毎に光の偏光方向を９０度回転させる、あるいは回転させないように変調して反射することにより、回転させられた光のみが、前記偏光ビームスプリッタ（ＭｊＢ）を透過して投影レンズ（Ｅｊ３Ｂ）に入射され、スクリーン（Ｔｊ）上に画像を表示する。
【００１２】
なお、図９の光学系の場合、前記２次元光振幅変調素子（ＤｍｊＡ）として、一般にＬＣＯＳ(TM)（シリコン液晶デバイス）が使われることが多い。
このような液晶デバイスの場合、規定の偏光方向の光の成分しか有効に変調できないため、普通は、規定の偏光方向に平行な成分はそのまま透過させるが、規定の偏光方向に垂直な成分のみ偏光方向を９０度回転させ、結果として全ての光を有効利用できるようにするための偏光整列機能素子（ＰｃＢ）が、例えば前記後段フライアイレンズ（Ｆ２Ｂ）の後段に挿入される。
また、前記２次元光振幅変調素子（ＤｍｊＢ）には略平行光が入射されるよう、例えばその直前に、フィールドレンズ（Ｅｊ２Ｂ）が挿入される。
【００１３】
なお、２次元光振幅変調素子に関しては、図９に記載したような反射型のものの他に、透過型の液晶デバイス（ＬＣＤ）も、それに適合する光学配置にして使用される（参考：特開平１０−１３３３０３号など）。
【００１４】
ところで、通常のプロジェクタでは、画像をカラー表示するために、例えば、前記光均一化手段の後段にカラーホイールなどの動的色フィルタを配置して、Ｒ，Ｇ，Ｂ（赤および緑、青）の色順次光束として前記２次元光振幅変調素子を照明し、時分割によってカラー表示を実現したり、あるいは、前記光均一化手段の後段にダイクロイックミラーやダイクロイックプリズムを配置してＲ，Ｇ，Ｂの３原色に色分解した光で各色独立に設けた２次元光振幅変調素子を照明し、ダイクロイックミラーやダイクロイックプリズムを配置してＲ，Ｇ，Ｂの３原色の変調光束の色合成を行うための光学系を構成するが、複雑になることを避けるため、図８、図９においては省略してある。
【００１５】
しかしながら、前記した高輝度放電ランプは、投入電力から光パワーへの変換効率が低い、すなわち発熱損が大きい、あるいは寿命が短い、などの欠点を有していた。
これらの欠点を克服した代替光源として、近年、ＬＥＤや半導体レーザ等の固体光源が注目されている。
このうち、ＬＥＤについては、放電ランプと比較して発熱損が小さく、また長寿命であるが、放射される光に関しては、放電ランプと同様に指向性が無いため、前記したプロジェクタや露光装置等の、特定の方向の光のみが利用可能な用途においては、光の利用効率が低いという問題があった。
【００１６】
一方、半導体レーザについては、その高い可干渉性に起因してスペックルが発生するという欠点があるが、例えば拡散板を用いるなどの種々の技術的改良により克服が可能であり、ＬＥＤと同様に、発熱損が小さく、長寿命である上に、指向性が高いため、前記したプロジェクタや露光装置等の、特定の方向の光のみが利用可能な用途においても、光の利用効率が高いという利点がある。
また、高い指向性を活かして、光ファイバによる光伝送を高効率で行えるため、半導体レーザの設置場所と、プロジェクタなど、その光を利用する場所とを分離することが可能であり、装置設計の自由度を高めることができる。
【００１７】
ただし、半導体レーザは、同じ電流を流す場合でも、環境温度変化または自己発熱による温度上昇によって、さらに累積通電時間の増加に伴う劣化によって発光波長および発光強度が変化する。
プロジェクタの光源として、Ｒ，Ｇ，Ｂ３原色の一部または全部に半導体レーザを用いた場合、このような変化によって、画像全体の色や明るさが変化してしまうことになる。
したがって高忠実なプロジェクタに半導体レーザを応用する場合は、３原色それぞれの色の安定化、およびそれらの配合割合、すなわち白バランスの安定化、さらに明るさの安定化を行う必要がある。
【００１８】
Ｒ，Ｇ，Ｂ３原色の光源の光を混合して白色を作る場合、人間が手動で行うのであれば、普通は、色度計を用いて色度を測定しながら、正しい白色になるよう、３原色の混合比を調整すればよいが、プロジェクタにおいて、この調整動作を自動的に行うことを低コストで実現しようとすると困難を伴う。
前記した色度計は高価であり、プロジェクタに容易には組み込めないため、機器組込み用として好適な、安価な光センサを使わざるを得ないが、光センサのみを安価なものを使っても、色度計と同等の機能を作り込もうとすると、高コストな精密分光フィルタが必要になるため、簡易仕様の安価なフィルタで代替できる構成を実現する必要がある。
【００１９】
しかし、これまで、安価な光センサやフィルタを使って色度に相関する量を測定すること、および測定結果から効率的にＲ，Ｇ，Ｂそれぞれの半導体レーザへの投入電力を自動調整する技術が確立されていなかった。
また、特に連続発光する３原色のそれぞれの光源について、光の色を安定化する技術も確立されていなかった。
【００２０】
光源として半導体レーザあるいはＬＥＤを応用する場合の、特に発光波長が変化してしまう現象に対し、従来より問題を回避するための技術が開発されて来た。
例えば、特開２００６−２５２７７７号には、分光感度特性の傾きが、光源の発光波長帯域において正の光センサと負の光センサとを用いて光量検出を行うことによって、発光波長が長くなる方向に変化しているか、それとも短くなる方向に変化しているか、あるいは変化が無いかの何れであるかを判別し、その結果に基づき、Ｒ，Ｇ，Ｂ各色光源の投入電力制御の基準レベルを増減する技術が記載されている。
しかし、この技術の場合、発光波長の時間的変化の方向のみを検出して制御するものであるため、光源の点灯直後の、光源自身の発熱による温度変化に伴う、比較的速い色変化は補正できるかも知れないが、非常に緩慢な環境温度の変化や長期間に亘る光源の劣化に伴う色変化には対応できない問題がある。
また、複数色の光源が同時に独立に色変化を起こす場合の、各色光源それぞれを、如何にして投入電力制御すればよいかについて未解決のままであった。
【００２１】
さらに、例えば特開２００７−１５６２１１号には、Ｒ，Ｇ，Ｂ各色の光源を色順次で発光させるものにおいて、Ｒ，Ｇ，Ｂ各色用光センサのそれぞれの分光感度特性を、ＣＩＥ(国際照明委員会)の制定になるＸＹＺ表色系における３個の等色関数それぞれと同じものとして、それぞれの光センサ出力について目標値からの誤差が小さくなるように制御することにより白バランスを補正する技術が記載されている。
しかし、この技術では、Ｒ，Ｇ，Ｂ各色の光源を色順次で発光させるという元来の動作様式の特徴をうまく利用して、Ｒ，Ｇ，Ｂそれぞれの光が単独でＲ，Ｇ，Ｂ各色用光センサに入力されて自動的に生成される、合計９種類の信号を活用することが前提となっている。
したがって、もし、Ｒ，Ｇ，Ｂ各色の光源を色順次で発光させるのではなく、Ｒ，Ｇ，Ｂ各色の光源を連続発光させる光源装置においてこの技術を利用しようとすると、Ｒ，Ｇ，Ｂ各色の帯域フィルタと３個の等色関数フィルタとの組合わせに対応した９個の光センサを設置するなど、何らかの方法により、前記した合計９種類の信号を生成する必要があり、装置の構造が複雑化する欠点があった。
【００２２】
また、例えば特開２００８−１３４３７８号には、ＬＥＤ光源からの出力と色を検出する光検出センサの検出結果に基づきダイクロイックミラーの角度を変化させ、ＬＥＤからの発光のうちの不都合な波長成分を捨てて色を補正する技術が記載されているが、不都合な光を捨てるため低効率であり、色を検出する光検出センサの実現方法については未解決であった。
【００２３】
また、例えば、特開２０１０−１５２３２６号には、Ｒ，Ｇ，Ｂ各色のＬＥＤ光源を色順次で発光させるプロジェクタにおいて、ＬＥＤへの供給電流が変化することに起因して、発光の色度も変化することに対応するため、例えばＲ色のフレームにおいても、Ｇ，Ｂ色の発光を混合し、色合成によってＲ色フレームのＲ色の色度を制御するものにおいて、今から生成しようとするＲ色フレームの色を、過去に生成したＲ色フレームの色度誤差が相殺補正されるような色度に、敢えて過剰補正設定することを、毎回のフレーム生成の度毎に行うことにより、人間の視覚刺激における残像効果を利用して、常に正しい色再現ができるようにする技術が記載されている。
【００２４】
しかし、この技術で相殺補正ができるためには、瞬間的には過剰補正を行う能力が必要になるため、各色の目標色度座標は、単色のものよりもかなり白側に設定する必要があり、色再現領域が狭くなってしまう欠点がある。
さらに、Ｒ，Ｇ，Ｂ各色の照度センサを用いて、どのようにすれば色合成された光の色度を測定可能なのかが示されていない。
なお、色順次方式でない、連続発光を必要とする場合に対し、この技術が応用可能であるか否かは記載されていない。
【先行技術文献】
【特許文献】
【００２５】
【特許文献１】特開２００６−２５２７７７号
【特許文献２】特開２００７−１５６２１１号
【特許文献３】特開２００８−１３４３７８号
【特許文献４】特開２０１０−１５２３２６号
【発明の概要】
【発明が解決しようとする課題】
【００２６】
本発明が解決しようとする課題は、Ｒ，Ｇ，Ｂ３原色の出力光束が実用上必要な色相の安定性を有し、かつＲ，Ｇ，Ｂの出力光束の総合した色相が目標とする色相に維持されるようにした光源装置およびプロジェクタを提供することにある。
【課題を解決するための手段】
【００２７】
本発明における第１の発明の光源装置は、狭い波長帯域で発光する発光素子（Ｌｒ１，Ｌｒ２，…，Ｌｒａ）と前記発光素子（Ｌｒ１，Ｌｒ２，…，Ｌｒａ）を駆動する駆動回路（Ｐｒ１，Ｐｒ２，…，Ｐｒａ）を具備するユニットを１個の要素光源（Ｕｒ１）として、該要素光源（Ｕｒ１，Ｕｇ１，Ｕｂ１，…）の複数個と、前記駆動回路（Ｐｒ１，Ｐｒ２，…，Ｐｒａ，Ｐｇ１，Ｐｇ２，…）を制御する制御回路（Ｍｃ）と、を有し、前記発光素子（Ｌｒ１，Ｌｒ２，…，Ｌｒａ，Ｌｇ１，Ｌｇ２，…）からの放射光からなる、Ｒ，Ｇ，Ｂの３原色のＲ色出力光束（Ｆｒ）とＧ色出力光束（Ｆｇ）とＢ色出力光束（Ｆｂ）とを、それぞれ異なる光路を経由して分離して外部に放射する光源装置であって、
前記Ｇ色出力光束（Ｆｇ）は、Ｇ色の発光素子（Ｌｇ１，Ｌｇ２，…）からの主成分光（Ｆｇｍ）を含み、前記Ｒ色出力光束（Ｆｒ）は、Ｒ色の発光素子（Ｌｒ１，Ｌｒ２，…）からの主成分光（Ｆｒｍ）に加えて、前記Ｇ色の発光素子（Ｌｇ１，Ｌｇ２，…）とは独立なＧ色の発光素子（Ｌｒａ）からの付加光（Ｆｒａ）を混合して生成されることが可能であり、かつ、前記Ｂ色出力光束（Ｆｂ）は、Ｂ色の発光素子（Ｌｂ１，Ｌｂ２，…）からの主成分光（Ｆｂｍ）に加えて、前記Ｇ色の発光素子（Ｌｇ１，Ｌｇ２，…）とは独立なＧ色の発光素子（Ｌｂａ）からの付加光（Ｆｂａ）を混合して生成されることが可能であり、
さらに前記光源装置は、前記Ｒ色出力光束（Ｆｒ）および前記Ｇ色出力光束（Ｆｇ）、前記Ｂ色出力光束（Ｆｂ）それぞれが入射され、入射された光を測定して、光の色度座標と光の強度とに相関する光束色度強度相関データ（Ｄｒ，Ｄｇ，Ｄｂ）を生成する、Ｒ色光束特性測定手段（Ａｒ）およびＧ色光束特性測定手段（Ａｇ）、Ｂ色光束特性測定手段（Ａｂ）を有しており、
前記制御回路（Ｍｃ）は、前記Ｒ色出力光束（Ｆｒ）および前記Ｇ色出力光束（Ｆｇ）、前記Ｂ色出力光束（Ｆｂ）それぞれについての前記光束色度強度相関データ（Ｄｒ，Ｄｇ，Ｄｂ）を少なくとも間欠的に取得し、前記光束色度強度相関データ（Ｄｒ，Ｄｇ，Ｄｂ）に基づき、前記付加光を混合して生成された出力光束についての、色度座標の少なくとも片方に相関する単色色相指示値を生成し、該単色色相指示値が目標値に一致するよう、前記主成分光の強度に対する前記付加光の強度の比率を決定し、
さらに前記制御回路（Ｍｃ）は、前記付加光を混合して生成された出力光束については取得した前記光束色度強度相関データ（Ｄｒ，Ｄｇ，Ｄｂ）に基づき、前記Ｒ色出力光束（Ｆｒ）および前記Ｇ色出力光束（Ｆｇ）、前記Ｂ色出力光束（Ｆｂ）を総合した光についての、色度座標に相関する総合色相指示値を生成し、該総合色相指示値に対して、定めた目標値との差異が小さくなるよう、前記Ｒ色出力光束（Ｆｒ）および前記Ｇ色出力光束（Ｆｇ）、前記Ｂ色出力光束（Ｆｂ）それぞれの前記駆動回路（Ｐｒ１，Ｐｒ２，…，Ｐｒａ，Ｐｇ１，Ｐｇ２，…）をフィードバック制御することを特徴とするものである。
【００２８】
本発明における第２の発明の光源装置は、前記制御回路（Ｍｃ）は、前記Ｒ色出力光束（Ｆｒ）および前記Ｇ色出力光束（Ｆｇ）、前記制御回路（Ｍｃ）は、前記Ｒ色出力光束（Ｆｒ）および前記Ｇ色出力光束（Ｆｇ）、前記Ｂ色出力光束（Ｆｂ）を総合した光について、前記の色度座標に相関する総合色相指示値に加えて明るさに相関する明度指示値を生成し、前記明度指示値とその目標値の差異が小さくなるよう、前記駆動回路（Ｐｒ１，Ｐｒ２，…，Ｐｒａ，Ｐｇ１，Ｐｇ２，…）をフィードバック制御することを特徴とするものである。  
【００２９】
本発明における第３の発明の光源装置は、前記Ｇ色出力光束（Ｆｇ）は、前記Ｇ色の発光素子（Ｌｇ１，Ｌｇ２，…）からの前記主成分光（Ｆｇｍ）に加えて、前記Ｒ色の発光素子（Ｌｒ１，Ｌｒ２，…）および前記Ｇ色の発光素子（Ｌｇ１，Ｌｇ２，…）、前記Ｂ色の発光素子（Ｌｂ１，Ｌｂ２，…）とは独立なＲ色またはＧ色、Ｂ色の発光素子からの付加光を混合して生成されることが可能であることを特徴とするものである。
【００３０】
本発明における第４の発明の光源装置は、前記Ｒ色光束特性測定手段（Ａｒ）および前記Ｇ色光束特性測定手段（Ａｇ）、前記Ｂ色光束特性測定手段（Ａｂ）それぞれは、入射された出力光束の前記主成分光（Ｆｒｍ，Ｆｇｍ，Ｆｂｍ）についての基準波長からの偏差および強度を測定し、前記付加光（Ｆｒａ，Ｆｇａ，Ｆｂａ）を混合して生成された出力光束については、さらに前記付加光（Ｆｒａ，Ｆｇａ，Ｆｂａ）についての強度を測定して、前記光束色度強度相関データ（Ｄｒ，Ｄｇ，Ｄｂ）を生成することを特徴とするものである。
【００３１】
本発明における第５の発明の光源装置は、前記Ｒ色光束特性測定手段（Ａｒ）および前記Ｇ色光束特性測定手段（Ａｇ）、前記Ｂ色光束特性測定手段（Ａｂ）それぞれは、入射された出力光束の前記主成分光（Ｆｒｍ，Ｆｇｍ，Ｆｂｍ）についての基準波長からの偏差および強度を測定するために、少なくとも前記主成分光（Ｆｒｍ，Ｆｇｍ，Ｆｂｍ）の波長近傍で、波長の変化に対する感度の変化率が相異なる、第１光量検出器（Ａｒｍ１）と第２光量検出器（Ａｒｍ２）とを具備することを特徴とするものである。
【００３２】
本発明における第６の発明の光源装置は、前記制御回路（Ｍｃ）は、色度の計算に必要な等色関数それぞれについて、前記Ｒ色出力光束（Ｆｒ）および前記Ｇ色出力光束（Ｆｇ）、前記Ｂ色出力光束（Ｆｂ）の前記主成分光（Ｆｒｍ，Ｆｇｍ，Ｆｂｍ）の基準波長における関数値と波長の変化に対する関数の変化率、および前記付加光（Ｆｒａ，Ｆｇａ，Ｆｂａ）の基準波長における関数値とからなる局所帯域等色関数情報を保有しており、
前記付加光（Ｆｒａ，Ｆｇａ，Ｆｂａ）を混合して生成された出力光束について、前記光束色度強度相関データ（Ｄｒ，Ｄｇ，Ｄｂ）と、前記局所帯域等色関数情報とを用いて、前記単色色相指示値に代わる単色色相指示値を生成するとともに、
前記Ｒ色出力光束（Ｆｒ）および前記Ｇ色出力光束（Ｆｇ）、前記Ｂ色出力光束（Ｆｂ）を総合した光について、前記光束色度強度相関データ（Ｄｒ，Ｄｇ，Ｄｂ）と、前記局所帯域等色関数情報とを用いて、前記総合色相指示値に代わる総合色相指示値を生成することを特徴とするものである。  
【００３３】
本発明における第７の発明の光源装置は、前記制御回路（Ｍｃ）は、前記Ｒ色出力光束（Ｆｒ）および前記Ｇ色出力光束（Ｆｇ）、前記Ｂ色出力光束（Ｆｂ）それぞれについて、前記光束色度強度相関データ（Ｄｒ，Ｄｇ，Ｄｂ）に基づき、前記単色色相指示値に代えて強度に相関する光束強度指示値を生成し、
さらに前記制御回路（Ｍｃ）は、前記Ｒ色出力光束（Ｆｒ）および前記Ｇ色出力光束（Ｆｇ）、前記Ｂ色出力光束（Ｆｂ）それぞれについての前記光束強度指示値を微小変化させたときの前記総合色相指示値の変化量を、前記した前記光束強度指示値の変化量を用いて、その線形演算で表すときの係数を決定し、前記係数を介して前記Ｒ色出力光束（Ｆｒ）および前記Ｇ色出力光束（Ｆｇ）、前記Ｂ色出力光束（Ｆｂ）それぞれについての前記光束強度指示値の変化量を決定して前記したフィードバック制御を行うことを特徴とするものである。  
【００３４】
本発明における第８の発明の光源装置は、前記第１光量検出器（Ａｒｍ１）と前記第２光量検出器（Ａｒｍ２）とは、それぞれ光センサ（Ｃｒ１，Ｃｒ２）を有し、前記光センサ（Ｃｒ１，Ｃｒ２）の少なくとも一方の前面に、波長の変化に対する分光透過率が変化する特性フィルタ（Ｅｒｓ１，Ｅｒｓ２）を設けることを特徴とするものである。
【００３５】
本発明における第９の発明の光源装置は、前記第１光量検出器（Ａｒｍ１）と前記第２光量検出器（Ａｒｍ２）とは、同じ光量検出器に対して交互に特性変化を与えることにより、時間分割によって実現するものであり、前記第１光量検出器（Ａｒｍ１）と前記第２光量検出器（Ａｒｍ２）とは、光センサ（Ｃｒ１，Ｃｒ２）を共有しており、前記第２光量検出器（Ａｒｍ２）として働く場合は、前記第１光量検出器（Ａｒｍ１）として働く場合とは異なる特性フィルタ（Ｅｒｓ１，Ｅｒｓ２）を設けることを特徴とするものである。
【００３６】
本発明における第１０の発明の光源装置は、前記第１光量検出器（Ａｒｍ１）と前記第２光量検出器（Ａｒｍ２）とが有する前記光センサの少なくとも一方が撮像素子であることを特徴とするものである。
【００３７】
本発明における第１１の発明のプロジェクタは、請求項１から請求項１０のいずれか１項に記載の光源装置を利用して画像を投影表示することを特徴とするものである。  
【発明の効果】
【００３８】
Ｒ，Ｇ，Ｂ３原色の出力光束が実用上必要な色相の安定性を有し、かつＲ，Ｇ，Ｂの出力光束の総合した色相が目標とする色相に維持されるようにした光源装置およびプロジェクタを提供することができる。
【図面の簡単な説明】
【００３９】
【図１】本発明の光源装置を簡略化して示すブロック図を表す。
【図２】本発明の光源装置を簡略化して示すブロック図を表す。
【図３】本発明の光源装置の技術に関連する概念の概略図を表す。
【図４】本発明の光源装置の技術に関連する概念の概略図を表す。
【図５】本発明の光源装置の一部を簡略化して示すブロック図を表す。
【図６】本発明の光源装置の一部を簡略化して示す模式図を表す。
【図７】本発明のプロジェクタの実施例の一形態を簡略化して示す図を表す。
【図８】本発明のプロジェクタに係わる従来のプロジェクタの一種の一部の一形態を説明する図を表す。
【図９】本発明のプロジェクタに係わる従来のプロジェクタの一種の一部の一形態を説明する図を表す。
【発明を実施するための形態】
【００４０】
先ず、本発明の光源装置を簡略化して示すブロック図である図１を用いて、本発明を実施するための形態について説明する。
Ｒ色の要素光源（Ｕｒ１）には、主成分光（Ｆｒｍ）を発生させるためのＲ色の発光素子（Ｌｒ１，Ｌｒ２，…）と、付加光（Ｆｒａ）を発生させるためのＧ色の発光素子（Ｌｒａ）とを具備しており、前記主成分光（Ｆｒｍ）と前記付加光（Ｆｒａ）とは混合されて、一つのＲ色出力光束（Ｆｒ）として光源装置から出力される。
なお、前記発光素子（Ｌｒ１，Ｌｒ２，…，Ｌｒａ）、および後述する発光素子（Ｌｇ１，Ｌｇ２，…，Ｌｒａ，Ｌｂ１，Ｌｂ２，…，Ｌｂａ，…）の個々については、ここでは、例えば半導体レーザや、半導体レーザの放射光を、高調波発生・光パラメトリック効果などのような非線形光学現象を利用して波長変換する光源などであり、そのような光源の１個単独、または複数個の直列接続、複数個の並列接続、複数個の並列接続の複数個の直列接続などであって、それぞれが、１個の前記駆動回路（Ｐｒ１，Ｐｒ２，…，Ｐｒａ）によって駆動できるものとしている。
【００４１】
前記発光素子（Ｌｒ１，Ｌｒ２，…，Ｌｒａ）は、駆動回路（Ｐｒ１，Ｐｒ２，…，Ｐｒａ）によって駆動される。
該駆動回路（Ｐｒ１，Ｐｒ２，…，Ｐｒａ）については、ここでは、直流電源（図示を省略）によって給電される、例えば降圧チョッパや昇圧チョッパなど方式の回路によって構成された、ＤＣ／ＤＣコンバータであり、前記発光素子（Ｌｒ１，Ｌｒ２，…，Ｌｒａ）に規定の電力を投入できるものとしている。
制御回路（Ｍｃ）は、駆動回路制御信号（Ｊｒ１，Ｊｒ２，…，Ｊｒａ）を介して前記駆動回路（Ｐｒ１，Ｐｒ２，…，Ｐｒａ）毎に独立に制御し、それぞれの前記発光素子（Ｌｒ１，Ｌｒ２，…，Ｌｒａ）に規定の電力を投入することができるように構成されている。
【００４２】
そして、前記Ｒ色出力光束（Ｆｒ）からは、例えば、ビームスプリッタ等を用いてその一部を分岐するなどの方法により、測定用光束（Ｆｒ’）を作り、Ｒ色光束特性測定手段（Ａｒ）に入射する。
該Ｒ色光束特性測定手段（Ａｒ）は、前記Ｒ色出力光束（Ｆｒ）に関する色度座標と強度とに相関する、光束色度強度相関データ（Ｄｒ）を生成し、前記制御回路（Ｍｃ）に送る。
なお、前記Ｒ色出力光束（Ｆｒ）については、必要に応じ、例えばコリメータレンズ等の光学系を挿入して無限遠像に向かう光束に変換するなど、その光の用途に適合するよう、光束形態の整合化が図れられるが、そのための光学系は図示を省略してある。
【００４３】
本発明の光源装置は、前記Ｒ色の要素光源（Ｕｒ１）に加え、Ｇ色の要素光源（Ｕｇ１）およびＢ色の要素光源（Ｕｂ１）を有しており、それぞれ主成分光（Ｆｇｍ）および主成分光（Ｆｂｍ）を発生するためのＧ色の発光素子（Ｌｇ１，Ｌｇ２，…）およびＢ色の発光素子（Ｌｂ１，Ｌｂ２，…）を具備し、Ｇ色出力光束（Ｆｇ）およびＢ色出力光束（Ｆｂ）を生成する。
特に前記Ｂ色の要素光源（Ｕｂ１）は、前記Ｒ色の要素光源（Ｕｒ１）と同様に、付加光（Ｆｂａ）を発生するためのＧ色の発光素子（Ｌｂａ）をさらに具備し、主成分光（Ｆｂｍ）に混合される。
【００４４】
これらの要素光源は、前記要素光源（Ｕｒ１）と同様に、前記発光素子（Ｌｇ１，Ｌｇ２，…，Ｌｒａ，Ｌｂ１，Ｌｂ２，…，Ｌｂａ，…）を駆動する駆動回路（Ｐｇ１，Ｐｇ２，…，Ｐｂ１，Ｐｂ２，…，Ｐｂａ，…）を具備し、また、前記制御回路（Ｍｃ）は、駆動回路制御信号（Ｊｇ１，Ｊｇ２，…，Ｊｇ１，Ｊｇ２，…，Ｊｂａ，…）を介して前記駆動回路（Ｐｇ１，Ｐｇ２，…，Ｐｂ１，Ｐｂ２，…，Ｐｂａ，…）毎に独立に制御し、それぞれの前記発光素子（Ｌｇ１，Ｌｇ２，…，Ｌｒａ，Ｌｂ１，Ｌｂ２，…，Ｌｂａ，…）に規定の電力を投入する。
そして、前記Ｇ色出力光束（Ｆｇ）および前記Ｂ色出力光束（Ｆｂ）についても、光束形態の整合化を図った上で、それぞれの一部を分岐して測定用光束（Ｆｇ’，Ｆｂ’）とし、Ｇ色光束特性測定手段（Ａｇ）およびＢ色光束特性測定手段（Ａｂ）に入射される。
これら光束特性測定手段は、それぞれの光束に関する色度座標と強度とに相関する、光束色度強度相関データ（Ｄｇ，Ｄｂ）を生成し、前記制御回路（Ｍｃ）に送る。
【００４５】
前記Ｒ色出力光束（Ｆｒ）および前記Ｇ色出力光束（Ｆｇ）、前記Ｂ色出力光束（Ｆｂ）は、例えば前記したプロジェクタの場合、Ｒ，Ｇ，Ｂの各色毎に分けて各色独立に設けた２次元光振幅変調素子を照明し、ダイクロイックミラーやダイクロイックプリズムを配置してＲ，Ｇ，Ｂの３原色の変調光束の色合成を行う使い方で利用可能である。
【００４６】
また、本発明の光源装置を簡略化して示すブロック図である図２のように、光ファイバを用いて光源装置を構成することができる。
本図は、主としてＲ色出力光束（Ｆｒ）を生成する部分のみを示しており、Ｇ色出力光束、Ｂ色出力光束を生成する部分については省略してある。
Ｒ色の要素光源（Ｕｒ１，Ｕｒ２，…）の発光素子（Ｌ１ｒ１，Ｌ１ｒ２，…，Ｌ１ｒａ，Ｌ２ｒ１，Ｌ２ｒ２，…，Ｌ２ｒａ，…）から発せられた光は、例えばレンズから成る集光光学系（Ｅｃｒ１，Ｅｃｒ２，…）によって光ファイバ（Ｅｆｒ１，Ｅｆｒ２，…）の入射端（Ｅｉｒ１，Ｅｉｒ２，…）に集光され、前記光ファイバ（Ｅｆｒ１，Ｅｆｒ２，…）のコアを伝播して出射端（Ｅｏｒ１，Ｅｏｒ２，…）から放射されるようにすることもできる。
【００４７】
要素光源（Ｕｒ１，Ｕｒ２，…）の光ファイバ（Ｅｆｒ１，Ｅｆｒ２，…）の出射端（Ｅｏｒ１，Ｅｏｒ２，…）からの放射光は、総合されて１個のＲ色出力光束（Ｆｒ）として本発明の光源装置から出力される。
なお、複数個の前記出射端（Ｅｏｒ１，Ｅｏｒ２，…）からの放射光の総合方法としては、最も簡単には、前記出射端（Ｅｏｒ１，Ｅｏｒ２，…）が同一平面上に位置するように揃えて、前記光ファイバ（Ｅｆｒ１，Ｅｆｒ２，…）の出射端部を束ね、ファイババンドル（Ｅｆｒ）を構成することにより実現することができる。
前記光ファイバ（Ｅｆｒ１，Ｅｆｒ２，…）のそれぞれが導光する前記Ｒ色出力光束（Ｆｒ）の光量に相関する量を測定できるよう、前記出射端（Ｅｏｒ１，Ｅｏｒ２，…）からの放射光の一部を抽出して総合した測定用光束（Ｆｒ’）を生成し、Ｒ色光束特性測定手段（Ａｒ）に入力する構成とすることができる。
【００４８】
なお、ここでは、前記要素光源（Ｕｒ１，Ｕｒ２，…）からの、総合された前記Ｒ色出力光束（Ｆｒ）に対し、１個の前記Ｒ色光束特性測定手段（Ａｒ）を設ける構成を示したが、図１に示したように、要素光源毎に光束特性測定手段を設けるように構成してもよい。
これは、具体的には、図２において、前記集光光学系（Ｅｃｒ１，Ｅｃｒ２，…）の直前または直後の位置から測定用光束を分岐させ、光束特性測定手段に入射させるようにすることにより実現可能である。
【００４９】
ここで、前記Ｒ色出力光束（Ｆｒ）および前記Ｇ色出力光束（Ｆｇ）、前記Ｂ色出力光束（Ｆｂ）それぞれの色度座標と強度とに相関する、光束色度強度相関データ（Ｄｒ，Ｄｇ，Ｄｂ）を生成する前記Ｒ色光束特性測定手段（Ａｒ）および前記Ｇ色光束特性測定手段（Ａｇ）、前記Ｂ色光束特性測定手段（Ａｂ）について説明する。
【００５０】
一般に、光源等から発せられる光の色は、ＣＩＥの制定になるＸＹＺ表色系に基づく色度座標によって表される。
（参考文献：「色の性質と技術」１９８６年１０月１０日初版第１刷，応用物理学会・光学懇話会編，朝倉書店発行）
波長 λ をパラメータとするスペクトル Ｓ(λ) で表される被測定光束の三刺激値 Ｘ，Ｙ，Ｚ は、ＣＩＥにより定められている等色関数 ｘe(λ)，ｙe(λ)，ｚe(λ) を用いて、以下の式（式１）
Ｘ ＝ ∫Ｓ(λ)・ｘe(λ)・ｄλ
Ｙ ＝ ∫Ｓ(λ)・ｙe(λ)・ｄλ
Ｚ ＝ ∫Ｓ(λ)・ｚe(λ)・ｄλ
の積分計算で求める。
ただし、積分は３８０ｎｍから７８０ｎｍの領域で行うとされている。
これらを用いて、被測定光束 Ｓ(λ) の色度座標 ｘ，ｙ は、以下の式（式２）
ｘ ＝ Ｘ／{Ｘ＋Ｙ＋Ｚ}
ｙ ＝ Ｙ／{Ｘ＋Ｙ＋Ｚ}
のように求められる。
また、前記した被測定光束の強度 Ｉ は、以下の式（式３）
Ｉ ＝ ∫Ｓ(λ)・ｄλ
により求めればよい。
【００５１】
なお、等色関数 ｘe(λ)，ｙe(λ)，ｚe(λ) の特性は、本発明の光源装置の技術に関連する概念の概略図である図３に示すようである。
（因みに、一般文献では、等色関数は、ｘ，ｙ，ｚ 各文字の上に横棒を付した記号が使用されるが、本明細書では都合により前記したように表記する。）
【００５２】
本明細書では、主として前記したＸＹＺ表色系に基づく三刺激値 Ｘ，Ｙ，Ｚ や色度座標 ｘ，ｙ 等の諸量を扱い、これらの値が所望の値になるよう制御する光源装置に関して述べるが、実際の光源装置の構成にあたっては、これらの諸量を忠実に扱う必要は無く、これらの諸量に相関する量や代替量を扱うようにしてもよい。
また、表色系については、光の色を特定できるものであれば、他の表色系、例えばＲＧＢ表色系やｕ'ｖ'表色系などに基づくものであっても構わない。
【００５３】
結局、前記Ｒ色出力光束（Ｆｒ）および前記Ｇ色出力光束（Ｆｇ）、前記Ｂ色出力光束（Ｆｂ）それぞれの色度座標と強度とに相関する、光束色度強度相関データ（Ｄｒ，Ｄｇ，Ｄｂ）としては、前記Ｒ色出力光束（Ｆｒ）および前記Ｇ色出力光束（Ｆｇ）、前記Ｂ色出力光束（Ｆｂ）それぞれのスペクトル Ｓr(λ)，Ｓg(λ)，Ｓb(λ) を求めることのできるデータであればよいことが判る。
【００５４】
本発明の光源装置においては、前記発光素子（Ｌｒ１，Ｌｒ２，…，Ｌｒａ，Ｌｇ１，Ｌｇ２，…）は狭い波長帯域で発光するものであるから、前記Ｒ色出力光束（Ｆｒ）および前記Ｇ色出力光束（Ｆｇ）、前記Ｂ色出力光束（Ｆｂ）それぞれのスペクトル Ｓr(λ)，Ｓg(λ)，Ｓb(λ) を求めるためには、例えば、各出力光束の前記主成分光（Ｆｒｍ，Ｆｇｍ，Ｆｂｍ）についての基準波長からの偏差および強度を測定し、また、その出力光束が前記付加光（Ｆｒａ，Ｆｇａ，Ｆｂａ）を混合して生成されたものである場合は、さらに前記付加光（Ｆｒａ，Ｆｇａ，Ｆｂａ）についての強度を測定して、前記光束色度強度相関データ（Ｄｒ，Ｄｇ，Ｄｂ）とすればよい。
【００５５】
いま述べたように、前記付加光（Ｆｒａ，Ｆｇａ，Ｆｂａ）については、基準波長からの偏差を測定しないものでも構わない。
その理由は、前記付加光（Ｆｒａ，Ｆｇａ，Ｆｂａ）の強度は前記主成分光（Ｆｒｍ，Ｆｇｍ，Ｆｂｍ）に比して十分弱く、したがって前記付加光（Ｆｒａ，Ｆｇａ，Ｆｂａ）の微小な基準波長からの偏差は、色度座標の値への寄与において２次の微小量となるため、通常は無視してよいからである。
【００５６】
図４は、色度座標と色の関係を表した色度図と呼ばれるものを概略図で示したもので、この表色系で表現可能な全ての色は、図の点線上もしくはその内部に位置し、赤色（Ｒ），緑色（Ｇ），青色（Ｂ），白色（Ｗ）の概略位置を記載してある。
ここで、図の点線のうち、ＢからＧを経てＲに至るＵ字曲線状の部分はスペクトル軌跡と呼ばれ、レーザ光のような単色光は、このスペクトル軌跡の点線上に位置する。
ただし、ＲからＢに至る直線部は、純紫軌跡と呼ばれ、Ｂ色とＲ色の混合により生成される。
なお、純白の色度座標は 1/3，1/3 である。
【００５７】
いま、本光源装置に搭載する発光素子として、Ｒ，Ｇ，Ｂそれぞれの波長が６４０ｎｍ，５３２ｎｍ，４６５ｎｍの半導体レーザ(Ｒ，Ｂ色)および第２高調波光源(Ｇ色)を想定すると、これらの色は、前記色度図において色度座標点（ｃｒ，ｃｇ，ｃｂ）のように表される。
因みに、このとき、本光源装置による色再現領域は、前記色度座標点（ｃｒ，ｃｇ，ｃｂ）を頂点とする３角形の内側の、図において網掛けした領域となる。
【００５８】
ここで、前記した温度変化等に起因して、前記Ｒ色出力光束（Ｆｒ）の前記主成分光（Ｆｒｍ）を構成する前記Ｒ色の発光素子（Ｌｒ１，Ｌｒ２，…）の波長が変化する場合を考えると、前記主成分光（Ｆｒｍ）の前記色度座標点（ｃｒ）は、それが乗るスペクトル軌跡の点線上を、Ｇ色の前記色度座標点（ｃｇ）に近づく、または遠ざかる方向に移動する。
したがって、例えば、前記色度座標点（ｃｒ）が前記色度座標点（ｃｇ）に最も近づく条件を基準色度座標条件として設定するならば、もし、前記Ｒ色の発光素子（Ｌｒ１，Ｌｒ２，…）の色が、前記した基準条件よりも前記色度座標点（ｃｇ）から遠ざかった位置にある場合は、前記Ｒ色出力光束（Ｆｒ）の前記付加光（Ｆｒａ）を構成する前記Ｇ色の発光素子（Ｌｒａ）を、前記Ｒ色の発光素子（Ｌｒ１，Ｌｒ２，…）の電力に対する適当な比率の電力で発光させることにより、前記主成分光（Ｆｒｍ）に前記付加光（Ｆｒａ）が混合され、前記Ｒ色出力光束（Ｆｒ）の前記色度座標点（ｃｒ）を、前記した基準色度座標条件に維持させることができる。
【００５９】
また同様に、前記Ｂ色出力光束（Ｆｂ）の前記主成分光（Ｆｂｍ）を構成する前記Ｂ色の発光素子（Ｌｂ１，Ｌｂ２，…）の波長が変化する場合を考えると、前記主成分光（Ｆｂｍ）の前記色度座標点（ｃｂ）は、それが乗るスペクトル軌跡の点線上を、Ｇ色の前記色度座標点（ｃｇ）に近づく、または遠ざかる方向に移動する。
したがって、例えば、前記色度座標点（ｃｂ）が前記色度座標点（ｃｇ）に最も近づく条件を基準色度座標条件として設定するならば、もし、前記Ｂ色の発光素子（Ｌｂ１，Ｌｂ２，…）の色が、前記した基準条件よりも前記色度座標点（ｃｇ）から遠ざかった位置にある場合は、前記Ｂ色出力光束（Ｆｂ）の前記付加光（Ｆｂａ）を構成する前記Ｇ色の発光素子（Ｌｂａ）を、前記Ｂ色の発光素子（Ｌｂ１，Ｌｂ２，…）の電力に対する適当な比率の電力で発光させることにより、前記主成分光（Ｆｂｍ）に前記付加光（Ｆｂａ）が混合され、前記Ｂ色出力光束（Ｆｂ）の前記色度座標点（ｃｂ）を、前記した基準色度座標条件に維持させることができる。
【００６０】
ただし、Ｒ色の前記色度座標点（ｃｒ）の近傍では、スペクトル軌跡の点線の方向が、前記色度座標点（ｃｒ）とＧ色の前記色度座標点（ｃｇ）とを結ぶ方向と概ね一致しているが、Ｂ色の前記色度座標点（ｃｂ）の近傍では、スペクトル軌跡の点線の方向が、前記色度座標点（ｃｂ）とＧ色の前記色度座標点（ｃｇ）とを結ぶ方向とある角度を有している。
そのため、前記Ｒ色出力光束（Ｆｒ）については、色度座標の片方としての前記色度座標点（ｃｒ）のｙ座標のみに注目して、前記した基準色度座標条件のｙ座標と等しくなるよう前記Ｇ色の発光素子（Ｌｒａ）の電力を調整すると、ｙ座標はもちろん、ｘ座標についても、良い精度で前記した基準色度座標条件が維持されるが、一方、前記Ｂ色出力光束（Ｆｂ）については、色度座標の片方としての前記色度座標点（ｃｂ）のｙ座標のみに注目して、前記した基準色度座標条件のｙ座標と等しくなるよう前記Ｇ色の発光素子（Ｌｂａ）の電力を調整すると、当然、ｙ座標については前記した基準色度座標条件が維持されるが、ｘ座標については、厳密には多少の誤差が生じる可能性があるものの、実用上は、いま述べた調整方法にて十分である。
【００６１】
なお、前記Ｒ色出力光束（Ｆｒ）については、前記色度座標点（ｃｒ）近傍では、スペクトル軌跡の点線も、前記色度座標点（ｃｒ）とＧ色の前記色度座標点（ｃｇ）とを結ぶ方向も、ｘ軸に対する傾きが約４５度であるから、ｘ座標もｙ座標に相関しており、よって前記色度座標点（ｃｒ）のｘ座標のみに注目して、前記した基準色度座標条件のｘ座標と等しくなるように調整しても構わない。
一方前記Ｂ色出力光束（Ｆｂ）については、前記色度座標点（ｃｂ）近傍では、スペクトル軌跡の点線も、前記色度座標点（ｃｂ）とＧ色の前記色度座標点（ｃｇ）とを結ぶ方向も、概ねｙ軸の方向を向いているから、前記したように前記色度座標点（ｃｂ）のｙ座標に注目して、前記した基準色度座標条件のｙ座標と等しくなるように調整することが好適である。
【００６２】
なお、単色色相指示値として、前記した式２に忠実な計算により、前記色度座標点（ｃｒ）および前記色度座標点（ｃｂ）それぞれのｙ座標を求めてもよいが、当然ながら、計算の都合に合わせ、前記色度座標点（ｃｒ）および前記色度座標点（ｃｂ）それぞれのｙ座標に相関する代替量を生成し、これが目標値に一致するよう、前記主成分光の強度に対する前記付加光の強度の比率を決定してもよい。
【００６３】
比率を決定する方法としては、前記Ｒ色出力光束（Ｆｒ）および前記Ｇ色出力光束（Ｆｇ）、前記Ｂ色出力光束（Ｆｂ）を発生している状態において、前記Ｒ色光束特性測定手段（Ａｒ）および前記Ｂ色光束特性測定手段（Ａｂ）によって生成された前記光束色度強度相関データ（Ｄｒ，Ｄｂ）に基づき、Ｒ色の前記色度座標点（ｃｒ）およびＢ色の前記色度座標点（ｃｂ）の単色色相指示値を監視しながら、それらがその目標値に一致するよう、前記制御回路（Ｍｃ）が、前記Ｒ色出力光束（Ｆｒ）の前記付加光（Ｆｒａ）を発する前記Ｇ色の発光素子（Ｌｒａ）を駆動する駆動回路（Ｐｒａ）および前記Ｂ色出力光束（Ｆｂ）の前記付加光（Ｆｂａ）を発する前記Ｇ色の発光素子（Ｌｂａ）を駆動する駆動回路（Ｐｂａ）に対し、後述するように、それらの出力電力をフィードバック制御する方法を採用することができる。
あるいは、後述するように、フィードバック制御によらずに、計算によって決定するようにしてもよい。
【００６４】
前記したようにして、前記色度座標点（ｃｒ）および前記色度座標点（ｃｂ）について、前記した基準色度座標条件が維持されるよう、あるいは、より実際的に言えば、単色色相指示値がその目標値に一致するよう、前記Ｒ色出力光束（Ｆｒ）および前記Ｂ色出力光束（Ｆｂ）について、前記主成分光の強度に対する前記付加光の強度の比率が決定できても、前記Ｒ色出力光束（Ｆｒ）および前記Ｇ色出力光束（Ｆｇ）、前記Ｂ色出力光束（Ｆｂ）を総合した光の色について、それを確定させるために、さらなる制御が必要である。
そのために、前記制御回路（Ｍｃ）は、前記Ｒ色光束特性測定手段（Ａｒ）および前記Ｇ色光束特性測定手段（Ａｇ）、前記Ｂ色光束特性測定手段（Ａｂ）によって生成された前記光束色度強度相関データ（Ｄｒ，Ｄｇ，Ｄｂ）に基づき、前記Ｒ色出力光束（Ｆｒ）および前記Ｇ色出力光束（Ｆｇ）、前記Ｂ色出力光束（Ｆｂ）を総合した色度座標に相関する総合色相指示値を生成し、その目標値との差異が小さくなるよう、前記比率を維持しながら、前記Ｒ色出力光束（Ｆｒ）および前記Ｇ色出力光束（Ｆｇ）、前記Ｂ色出力光束（Ｆｂ）それぞれの前記駆動回路（Ｐｒ１，Ｐｒ２，…，Ｐｒａ，Ｐｇ１，Ｐｇ２，…）をフィードバック制御する。
【００６５】
なお、総合色相指示値として、前記した式２に忠実な計算により、前記Ｒ色出力光束（Ｆｒ）および前記Ｇ色出力光束（Ｆｇ）、前記Ｂ色出力光束（Ｆｂ）を総合した色度座標 ｘ，ｙ を求めてもよいが、当然ながら、計算の都合に合わせ、色度座標に相関する代替量を生成し、これが目標値との差異が小さくなるよう制御してもよい。
【００６６】
以下において、総合色相指示値たる前記Ｒ色出力光束（Ｆｒ）および前記Ｇ色出力光束（Ｆｇ）、前記Ｂ色出力光束（Ｆｂ）を総合した色度座標 ｘ，ｙ が、その目標値との差異が小さくなるようにするフィードバック制御について簡単に述べる。
ここで、色度座標の目標値は、白色付近に設定されているとする。
前記制御回路（Ｍｃ）は、前記Ｒ色出力光束（Ｆｒ）および前記Ｇ色出力光束（Ｆｇ）、前記Ｂ色出力光束（Ｆｂ）から取得した前記光束色度強度相関データ（Ｄｒ，Ｄｇ，Ｄｂ）に基づいて色度座標を算出し、算出された色度座標のそれぞれの値 ｘ，ｙ と、それらそれぞれの目標値とを比較する。
【００６７】
図４において、白色の位置を基準に見ると、概ねＲは右側、Ｇは上側、Ｂは下側に位置するから、白色光の色度座標は、Ｒ成分を増すと ｘ 値が増加、Ｇ成分を増すと ｙ 値が増加、Ｂ成分を増すと ｙ 値が減少することになる。
したがって例えば、もし ｘ が目標値より大きい場合は、前記制御回路（Ｍｃ）は、前記駆動回路（Ｐｒ１，Ｐｒ２，…，Ｐｒａ，Ｐｇ１，Ｐｇ２，…）のなかの前記Ｒ色出力光束（Ｆｒ）を構成する発光素子を駆動するものの出力電力の総和 Ｐtr を ｐ ％減少させ、かつ前記Ｇ色出力光束（Ｆｇ）を構成する発光素子を駆動するものの出力電力の総和 Ｐtg 、および前記Ｂ色出力光束（Ｆｂ）を構成する発光素子を駆動するものの出力電力の総和 Ｐtb それぞれを {ｐ／２} ％づつ増加させ、また、もし ｙ が目標値より大きい場合は、前記した Ｐtg を ｑ ％減少させ、かつ Ｐtb を ｑ ％増加させるよう、前記駆動回路制御信号（Ｊｒ１，Ｊｒ２，…，Ｊｒａ，Ｊｇ１，Ｊｇ２，…）を介して制御すればよいことが判る。
そして適当な時間をおいて、再度、前記した光量測定データを取得する箇所にシーケンスを戻すようにすることにより、フィードバック制御ループが構築される。
このフィードバック制御ループにより、強度をあまり変化させずに、色度座標とその目標値との差異が小さくなるよう常に制御が行われることになり、光の色の安定化を図ることができる。
【００６８】
ただし、値 ｘ または ｙ が目標値より小さい場合は、前記の記述における増加と減少の操作を逆にする。
また、値 ｐ および ｑ は、光の色の急激な変化が起きない程度に小さい値とすべきであるが、値 ｘ と目標値との差異の大きさに対する値 ｐ の大きさ、および値 ｙ と目標値との差異の大きさに対する値 ｑ の大きさの関係は、実験的に決めるとよい。
なお、前記した値 ｐ に基づく出力電力の増減と、値 ｑ に基づく出力電力の増減とは交互に行ってもよく、あるいは、値 ｐ と ｑ とをそれぞれ決定後、これら両方の値を反映させた出力電力の増減を行うようにしてもよい。
【００６９】
色度座標 ｘ，ｙ の目標値との差異を検出したときの、前記した Ｐtr，Ｐtg，Ｐtb に対する増減のさせ方について、ここで述べた、値 ｐ，ｑ に基づく方法は、必ずしも、最短経路で目標値に向かう仕方ではなく、試行錯誤的要素の強い仕方である。
しかし、フィードバック制御により、徐々に目標値に向けて系の状態を変化させて行けるため、前記した方法でも十分実用的である。
なお、最短経路で目標値に向かう仕方については後述する。
【００７０】
因みに、目標とする色度座標は、必ずしも純白に対応するものが良いとは限らない。
理由は、例えば、本光源装置をプロジェクタに応用する場合、プロジェクタ本体の光学系の光の利用効率が、Ｒ，Ｇ，Ｂ各色で同じであるとは限らないからである。
例えば、あるプロジェクタ本体の光学系ではＢ色の利用効率が低いとすると、目標とする色度座標は、Ｂ色成分が多めの、青色がかったものとするであろう。
したがって、目標とする色度座標は、本光源装置の前記Ｒ色出力光束（Ｆｒ）および前記Ｇ色出力光束（Ｆｇ）、前記Ｂ色出力光束（Ｆｂ）を総合した色ではなく、本光源装置を利用する装置の出力に合わせて決めればよい。
【００７１】
なお、ここでは、一つの色の出力光束を構成する発光素子を駆動する駆動回路の出力電力の総和 Ｐtr，Ｐtg，Ｐtb とその色の出力光束の光の強さとは、概ね比例的に相関する性質（本明細書では電力光量比例則と呼ぶ）、詳しく言えば、前記した、前記駆動回路（Ｐｒ１，Ｐｒ２，…，Ｐｒａ，Ｐｇ１，Ｐｇ２，…）のなかの、前記Ｒ色出力光束（Ｆｒ）を構成する発光素子を駆動するものの出力電力の総和 Ｐtr 、および前記Ｇ色出力光束（Ｆｇ）を構成する発光素子を駆動するものの出力電力の総和 Ｐtg 、前記Ｂ色出力光束（Ｆｂ）を構成する発光素子を駆動するものの出力電力の総和 Ｐtb それぞれが、前記Ｒ色出力光束（Ｆｒ）および前記Ｇ色出力光束（Ｆｇ）、前記Ｂ色出力光束（Ｆｂ）それぞれの光の強さに対し、概ね比例的に相関する性質を利用しているが、その前提として、前記発光素子（Ｌｒ１，Ｌｒ２，…，Ｌｒａ，Ｌｇ１，Ｌｇ２，…）それぞれについて、発光色の異なる発光素子の間では発光効率は異なっても構わないが、発光色の同じ発光素子は、全て同じ発光効率（より実際的に言えば同一メーカの同種製品）であることを仮定している。
したがって、もし、同じ色であっても発光効率の異なる複数種類が混在する等により、前記した前提が成り立たない場合は、例えば、ある発光色のもので、発光効率が高い、種類Ａの発光素子と、それより発光効率が１０％低い、種類Ｂの発光素子とがあったとして、前記駆動回路制御信号（Ｊｒ１，Ｊｒ２，…，Ｊｒａ，Ｊｇ１，Ｊｇ２，…）を介して前記制御回路（Ｍｃ）からの電力設定指令を受信したとき、種類Ｂの発光素子を駆動する駆動回路は、内部的には、指令された設定電力に対し１０％増しの電力を設定する、などとする構成上の工夫により、容易に解決することができる。
【００７２】
なお、前記した電力光量比例則における比例の精度、すなわち直線性があまり良くなくても、問題にならない。
その理由は、電力の増加と光量の増加とが相関している限り、それが直線的な関係になくても、少しづつ電力を変化させることにより、フィードバック制御により、徐々に目標値に向けて系の状態を変化させて行けるからである。
【００７３】
また、前記した一つの色の出力光束を構成する発光素子を駆動する駆動回路の出力電力の総和 Ｐtr，Ｐtg，Ｐtb を変化させるとき、対象駆動回路が複数存在する場合は、全ての駆動回路を同じ割合で変化させたり、異なる割合で変化させたり、特定のもののみを変化させたりなど、様々な形態が考えられるが、何れであっても構わない。
駆動回路に対する電力設定は、例えば設定データ長が８ビットであれば２５６階調であるなど、その細やかさが有限である。
したがって、一つの色の出力光束を構成する発光素子を駆動する駆動回路の出力電力を最小単位づつ増して行く場合、全ての駆動回路の電力設定を一斉に１ＬＳＢだけ増すのではなく、例えば、１番目の駆動回路の電力設定を１ＬＳＢだけ増し、次は２番目の駆動回路の電力設定を１ＬＳＢだけ増し、…、というように、駆動回路を分けて増し、最後の駆動回路の電力設定を１ＬＳＢだけ増したら、次はまた１番目の駆動回路の電力設定を１ＬＳＢだけ増し、…、という仕方で増すようにすれば、電力設定の階調数を、駆動回路の個数倍に増すことができる利点がある。
【００７４】
ただし、前記主成分光の強度に対する前記付加光の強度の比率について、決定した値を維持しながら出力電力の総和を増減する必要があるため、一つの色の出力光束を構成する主成分光の電力の総和と付加光の電力の総和について、制御の細やかさ、すなわちダイナミックレンジが同程度になるよう、付加光を発する発光素子を駆動する駆動回路の設定データ長、すなわちビット長さを決める必要がある。
例えば一つの色の出力光束を構成する主成分光の要素光源が１０個、付加光の要素光源が１個あり、主成分光の各駆動回路の設定データ長が８ビットであるならば、付加光の駆動回路の設定データ長は、例えば１２ビットとする必要がある。
【００７５】
ここまで述べてきたように、本発明によれば、前記Ｒ色出力光束（Ｆｒ）には、前記付加光（Ｆｒａ）を混合するための、前記Ｇ色の発光素子（Ｌｒａ）を追加し、また前記Ｂ色出力光束（Ｆｂ）には、前記付加光（Ｆｂａ）を混合するための、前記Ｇ色の発光素子（Ｌｂａ）を追加するだけで、前記した仕方で前記駆動回路（Ｐｒ１，Ｐｒ２，…，Ｐｒａ，Ｐｇ１，Ｐｇ２，…）の電力を制御すれば、前記Ｒ色出力光束（Ｆｒ）および前記Ｇ色出力光束（Ｆｇ）、前記Ｂ色出力光束（Ｆｂ）それぞれに必要な光の色の安定化と、前記Ｒ色出力光束（Ｆｒ）および前記Ｇ色出力光束（Ｆｇ）、前記Ｂ色出力光束（Ｆｂ）を総合した光の色の安定化の両方を実現することができる。
【００７６】
前記したＣＩＥの制定になるＸＹＺ表色系は、前記した式１の Ｙ の値が、含まれる波長帯域の全てを総合した明るさを表すように構成されている。
したがって光の色に相関する色相指示値に加えて、前記Ｒ色出力光束（Ｆｒ）および前記Ｇ色出力光束（Ｆｇ）、前記Ｂ色出力光束（Ｆｂ）を総合した明るさをも安定化制御する場合には、前記制御回路（Ｍｃ）は、算出された Ｙ の値を明度指示値として、これと目標値とを比較し、もし Ｙ が目標値より大きい場合は、前記した電力光量比例則を前提として、前記駆動回路（Ｐｒ１，Ｐｒ２，…，Ｐｒａ，Ｐｇ１，Ｐｇ２，…）のなかの、前記Ｒ色出力光束（Ｆｒ）を構成する発光素子を駆動するものの出力電力の総和 Ｐtr 、および前記Ｇ色出力光束（Ｆｇ）を構成する発光素子を駆動するものの出力電力の総和 Ｐtg 、前記Ｂ色出力光束（Ｆｂ）を構成する発光素子を駆動するものの出力電力の総和 Ｐtb それぞれを Ｑ ％減少させるよう、前記駆動回路制御信号（Ｊｒ１，Ｊｒ２，…，Ｊｒａ，Ｊｇ１，Ｊｇ２，…）を介して制御することにより、光の色を変化させないで、明るさとその目標値との差異が小さくなる方向へフィードバック制御することにより、明るさの安定化を図ることができる。
【００７７】
ただし、Ｙ が目標値より小さい場合は、前記の記述における増加と減少の操作を逆にする。
また、値 Ｑ は、明るさの急激な変化が起きない程度に小さい値とすべきであるが、値 Ｙ と目標値との差異の大きさに対する値 Ｑ の大きさの関係は、実験的に決めるとよい。
なお、ここで述べた明るさの安定化のための出力電力の増減と、前記した光の色の安定化のための出力電力の増減とは交互に行ってもよく、あるいは、前記した値 ｐ，ｑ，Ｑ をそれぞれ決定後、これら３個の値を反映させた出力電力の増減を行うようにしてもよい。
【００７８】
色度座標 ｘ，ｙ と明るさ Ｙ の目標値との差異を検出したときの、前記した Ｐtr，Ｐtg，Ｐtb に対する増減のさせ方について、ここで述べた、値 ｐ，ｑ，Ｑ に基づく方法は、必ずしも、最短経路で目標値に向かう仕方ではなく、試行錯誤的要素の強い仕方である。
しかし、フィードバック制御により、徐々に目標値に向けて系の状態を変化させて行けるため、前記した方法でも十分実用的である。
なお、最短経路で目標値に向かう仕方については後述する。
【００７９】
ここまで述べた本光源装置においては、前記Ｇ色出力光束（Ｆｇ）は、前記Ｇ色の発光素子（Ｌｇ１，Ｌｇ２，…）からの前記主成分光（Ｆｇｍ）に加えて付加光を混合して生成されることを必須としなかった。
その理由は、色の僅かな変化があったときにそれを人間が識別する能力は、色度座標の位置に依存して違いがあり、変化を識別できない領域の大きさ、いわゆる MacAdam の等色楕円の大きさが、Ｇ色近傍では大きい、言い換えれば、前記Ｇ色出力光束（Ｆｇ）に僅かな波長の変化があっても、人間はそれを識別できないからである。
（参考文献：「カラーマッチングの基礎と応用」１９９１年１１月３０日，(財)日本色彩研究所編，日刊工業新聞社発行，(p46)図４．１「MacAdam の色識別実験の結果(JOSA 32 1942)」）
【００８０】
当然ながら、Ｇ色出力光束といえども、波長の変化が大きくなると識別可能となるため、光源装置としては、前記Ｇ色出力光束（Ｆｇ）についても、付加光を混合することにより、その色度座標が変化しないようにすることが望ましい。
ただし、これを実現する場合、混合する付加光（Ｆｇａ）の色は、前記主成分光（Ｆｇｍ）の波長に応じて選ぶ必要がある。
【００８１】
主成分光（Ｆｇｍ）に関する色度座標が、図４における前記色度座標点（ｃｇ）のように、Ｒ色の前記色度座標点（ｃｒ）へと繋がる概ね直線状のスペクトル軌跡の点線上にある第１の場合では、Ｒ色の発光素子（Ｌｇａ）からの光を、逆に色度座標点（ｃｇ’）のように、Ｂ色の前記色度座標点（ｃｂ）へと繋がる概ね直線状のスペクトル軌跡の点線上にある第２の場合では、Ｂ色の発光素子（Ｌｇａ）からの光を、そして色度座標点（ｃｇ”）のように、スペクトル軌跡の点線の頂上付近の曲線部にある第３の場合では、Ｒ色およびＢ色両方の発光素子を備え、その何れかからの光を付加光（Ｆｇａ）として混合することが好適である。
なお、それぞれの場合に該当する前記主成分光（Ｆｇｍ）の波長範囲は、第１の場合は５２０ｎｍ以上、第２の場合は５１５ｎｍ以下、第３の場合は５１０〜５２５ｎｍとすればよい。
ただし、記載した波長範囲が重なっている領域の波長については、何れの場合に対応させても構わない。
【００８２】
例えば、前記第１の場合に関しては、先に前記Ｒ色出力光束（Ｆｒ）の前記色度座標点（ｃｒ）を、前記した基準色度座標条件に維持させることについて述べたものと同様に、前記した温度変化等に起因して、前記Ｇ色出力光束（Ｆｇ）の前記主成分光（Ｆｇｍ）を構成する前記Ｇ色の発光素子（Ｌｇ１，Ｌｇ２，…）の波長が変化する場合を考えると、前記主成分光（Ｆｇｍ）の前記色度座標点（ｃｇ）は、それが乗るスペクトル軌跡の点線上を、Ｒ色の前記色度座標点（ｃｒ）に近づく、または遠ざかる方向に移動する。
したがって、例えば、前記色度座標点（ｃｇ）が前記色度座標点（ｃｒ）に最も近づく条件を基準色度座標条件として設定するならば、もし、前記Ｇ色の発光素子（Ｌｇ１，Ｌｇ２，…）の色が、前記した基準条件よりも前記色度座標点（ｃｒ）から遠ざかった位置にある場合は、前記Ｇ色出力光束（Ｆｇ）の前記付加光（Ｆｇａ）を構成する前記Ｒ色の発光素子（Ｌｇａ）を、前記Ｇ色の発光素子（Ｌｇ１，Ｌｇ２，…）の電力に対する適当な比率の電力で発光させることにより、前記主成分光（Ｆｇｍ）に前記付加光（Ｆｇａ）が混合され、前記Ｇ色出力光束（Ｆｇ）の前記色度座標点（ｃｇ）を、前記した基準色度座標条件に維持させることができる。
【００８３】
この場合、前記色度座標点（ｃｇ）の近傍では、スペクトル軌跡の点線の方向が、前記色度座標点（ｃｇ）とＲ色の前記色度座標点（ｃｒ）とを結ぶ方向と概ね一致しているため、色度座標の片方としての前記色度座標点（ｃｇ）のｙ座標のみに注目して、前記した基準色度座標条件のｙ座標と等しくなるよう前記Ｒ色の発光素子（Ｌｇａ）の電力を調整すると、ｙ座標はもちろん、ｘ座標についても、良い精度で前記した基準色度座標条件が維持される。
なお、前記色度座標点（ｃｇ）の近傍では、スペクトル軌跡の点線の方向も、前記色度座標点（ｃｇ）とＲ色の前記色度座標点（ｃｒ）とを結ぶ方向も、ｘ軸に対する傾きが約４５度であるから、ｘ座標もｙ座標に相関しており、よって前記色度座標点（ｃｇ）のｘ座標のみに注目して、前記した基準色度座標条件のｘ座標と等しくなるように調整しても構わない。
【００８４】
また、前記第２の場合に関しては、前記Ｇ色出力光束（Ｆｇ）の前記主成分光（Ｆｇｍ）を構成する前記Ｇ色の発光素子（Ｌｇ１，Ｌｇ２，…）の波長が変化する場合を考えると、前記主成分光（Ｆｇｍ）の前記色度座標点（ｃｇ’）は、それが乗るスペクトル軌跡の点線上を、Ｂ色の前記色度座標点（ｃｂ）に近づく、または遠ざかる方向に移動する。
したがって、例えば、前記色度座標点（ｃｇ’）が前記色度座標点（ｃｂ）に最も近づく条件を基準色度座標条件として設定するならば、もし、前記Ｇ色の発光素子（Ｌｇ１，Ｌｇ２，…）の色が、前記した基準条件よりも前記色度座標点（ｃｂ）から遠ざかった位置にある場合は、前記Ｇ色出力光束（Ｆｇ）の前記付加光（Ｆｇａ）を構成する前記Ｂ色の発光素子（Ｌｇａ）を、前記Ｇ色の発光素子（Ｌｇ１，Ｌｇ２，…）の電力に対する適当な比率の電力で発光させることにより、前記主成分光（Ｆｇｍ）に前記付加光（Ｆｇａ）が混合され、前記Ｇ色出力光束（Ｆｇ）の前記色度座標点（ｃｇ’）を、前記した基準色度座標条件に維持させることができる。
【００８５】
この場合、前記色度座標点（ｃｇ’）の近傍では、スペクトル軌跡の点線の方向が、前記色度座標点（ｃｇ’）とＢ色の前記色度座標点（ｃｂ）とを結ぶ方向と概ね一致しているため、色度座標の片方としての前記色度座標点（ｃｇ’）のｙ座標のみに注目して、前記した基準色度座標条件のｙ座標と等しくなるよう前記Ｂ色の発光素子（Ｌｇａ）の電力を調整すると、ｙ座標はもちろん、ｘ座標についても、良い精度で前記した基準色度座標条件が維持される。
なお、前記色度座標点（ｃｇ’）の近傍では、スペクトル軌跡の点線の方向も、前記色度座標点（ｃｇ’）とＢ色の前記色度座標点（ｃｂ）とを結ぶ方向も、概ねｙ軸の方向を向いているから、前記したように前記色度座標点（ｃｇ’）のｙ座標に注目して、前記した基準色度座標条件のｙ座標と等しくなるように調整することが好適である。
【００８６】
一方前記第３の場合に関しては、前記Ｇ色出力光束（Ｆｇ）の前記主成分光（Ｆｇｍ）を構成する前記Ｇ色の発光素子（Ｌｇ１，Ｌｇ２，…）の波長が変化する場合を考えると、前記主成分光（Ｆｇｍ）の前記色度座標点（ｃｇ”）は、それが乗るスペクトル軌跡の点線上を、Ｒ色の前記色度座標点（ｃｒ）に近づく、またはＢ色の前記色度座標点（ｃｂ）に近づく方向に移動する。
したがって、例えば、前記色度座標点（ｃｇ”）の移動範囲の中央を基準色度座標条件として設定するならば、もし、前記Ｇ色の発光素子（Ｌｇ１，Ｌｇ２，…）の色が、前記した基準条件よりもＲ色の前記色度座標点（ｃｒ）から遠ざかった位置にある場合は、前記Ｇ色出力光束（Ｆｇ）の前記付加光（Ｆｇａ）を構成する前記Ｒ色の発光素子を、前記Ｇ色の発光素子（Ｌｇ１，Ｌｇ２，…）の電力に対する適当な比率の電力で発光させることにより、前記主成分光（Ｆｇｍ）に前記付加光（Ｆｇａ）が混合され、逆に、もし、前記Ｇ色の発光素子（Ｌｇ１，Ｌｇ２，…）の色が、前記した基準条件よりもＢ色の前記色度座標点（ｃｂ）から遠ざかった位置にある場合は、前記Ｇ色出力光束（Ｆｇ）の前記付加光（Ｆｇａ）を構成する前記Ｂ色の発光素子を、前記Ｇ色の発光素子（Ｌｇ１，Ｌｇ２，…）の電力に対する適当な比率の電力で発光させることにより、前記主成分光（Ｆｇｍ）に前記付加光（Ｆｇａ）が混合され、よって前記Ｇ色出力光束（Ｆｇ）の前記色度座標点（ｃｇ”）を、前記した基準色度座標条件に維持させることができる。
【００８７】
このとき、前記色度座標点（ｃｇ”）の近傍では、スペクトル軌跡の点線の方向は、概ねｘ軸方向を向いているから、前記色度座標点（ｃｇ”）のｘ座標に注目して、前記した基準色度座標条件のｘ座標と等しくなるように調整することが好適である。
なお、以上においては、前記付加光（Ｆｇａ）として前記Ｒ色の発光素子または前記Ｂ色の発光素子の何れか一方のみを発光させるものについて記載したが、これらを適当な配合割合で両方とも発光させ、前記色度座標点（ｃｇ”）のｙ座標についても前記した基準色度座標条件のｙ座標と等しくなるよう制御するようにしてもよい。
【００８８】
また、以上においては、前記Ｇ色出力光束（Ｆｇ）の前記付加光（Ｆｇａ）を構成する発光素子として、Ｒ色の発光素子およびＢ色の発光素子を備えるものについて記載したが、Ｒ色の発光素子に代えて色度座標点（ｃｇ）に位置するＧ色の発光素子としたり、あるいはＢ色の発光素子に代えて色度座標点（ｃｇ’）に位置するＧ色の発光素子としたりすることが可能である。
さらに、前記主成分光（Ｆｇｍ）は、色度座標点（ｃｇ）または色度座標点（ｃｇ’）、色度座標点（ｃｇ”）の３種類うちの何れかに位置するものについて記載したが、本発明は、これらのうちの２種類または全てを混合して前記主成分光（Ｆｇｍ）とするものについても適用可能である。
【００８９】
なお、本発明においては、前記Ｇ色出力光束（Ｆｇ）に付加光（Ｆｇａ）を混合しない形態も存在するが、その形態の場合は、付加光（Ｆｇａ）に関する光束強度指示値や主成分光の強度に対する比率などの量を零とおき、それらの量の値を求めるための計算を省略すればよいことを前提として、以降の記述においては、前記Ｇ色出力光束（Ｆｇ）に前記付加光（Ｆｇａ）を混合する形態を基本として述べる。
【００９０】
前記したように、前記Ｒ色光束特性測定手段（Ａｒ）および前記Ｇ色光束特性測定手段（Ａｇ）、前記Ｂ色光束特性測定手段（Ａｂ）それぞれは、入射された出力光束の前記主成分光（Ｆｒｍ，Ｆｇｍ，Ｆｂｍ）については、基準波長からの偏差および強度を測定でき、前記付加光（Ｆｒａ，Ｆｇａ，Ｆｂａ）については、強度を測定できればよい。
これを実現するための前記光束特性測定手段の構成について本発明の光源装置の一部を簡略化して示すブロック図である図５を用いて説明する。
図および以下の説明は、Ｒ色光束特性測定手段（Ａｒ）について記載するが、Ｇ色光束特性測定手段（Ａｇ）およびＢ色光束特性測定手段（Ａｂ）についても同様である。
【００９１】
Ｒ色光束特性測定手段（Ａｒ）に入射した測定用光束（Ｆｒ’）の一部は、前記付加光（Ｆｒａ）近傍の帯域の光のみを通す付加光フィルタ（Ｅｒｔａ）を通過して、Ｒ色の主成分光（Ｆｒｍ）を含まない付加光測定用光束（Ｆｒｔａ）となって光センサ（Ｃｒａ）に入射され、また前記測定用光束（Ｆｒ’）の他の一部は、前記主成分光（Ｆｒｍ）近傍の帯域の光のみを通す主成分光フィルタ（Ｅｒｔｍ）を通過して、Ｇ色の付加光（Ｆｒａ）を含まない主成分光測定用光束（Ｆｒｔｍ）となって、少なくとも前記主成分光（Ｆｒｍ）の波長近傍で、波長の変化に対する感度の変化率が相異なる、第１光量検出器（Ａｒｍ１）と第２光量検出器（Ａｒｍ２）とに入射される。
【００９２】
前記第１光量検出器（Ａｒｍ１）では、前記主成分光測定用光束（Ｆｒｔｍ）は、ある分光透過率特性を有する第１の特性フィルタ（Ｅｒｓ１）に入力され、それを通過した主成分光測定用光束（Ｆｒｓ１）は、光センサ（Ｃｒ１）で受光するとともに、該光センサ（Ｃｒ１）からの光検出信号（Ｓｒｍ１）は、光量測定回路（Ｈｒ）によって増幅やＡＤ変換等の必要な処理を行い、前記光束色度強度相関データ（Ｄｒ）の一部として、前記Ｒ色出力光束（Ｆｒ）の、前記第１の特性フィルタ（Ｅｒｓ１）の分光透過率特性に基づくＲ色主成分光第１光量データを生成する。
当然ながら、前記第１光量検出器（Ａｒｍ１）の分光感度特性には、前記第１の特性フィルタ（Ｅｒｓ１）および前記主成分光フィルタ（Ｅｒｔｍ）に起因するものに加えて、前記光センサ（Ｃｒ１）自身の分光感度特性が反映される。
【００９３】
前記第２光量検出器（Ａｒｍ２）についても同様であるが、前記主成分光測定用光束（Ｆｒｔｍ）は、前記第１の特性フィルタ（Ｅｒｓ１）とは前記主成分光（Ｆｒｍ）の波長近傍で波長の変化に対する透過率の変化率が異なる分光透過率特性を有する第２の特性フィルタ（Ｅｒｓ２）に入力され、それを通過した主成分光測定用光束（Ｆｒｓ２）は、光センサ（Ｃｒ２）で受光するとともに、該光センサ（Ｃｒ２）からの光検出信号（Ｓｒｍ２）は、光量測定回路（Ｈｒ）によって増幅やＡＤ変換等の必要な処理を行い、前記光束色度強度相関データ（Ｄｒ）の一部として、前記Ｒ色出力光束（Ｆｒ）の、前記第２の特性フィルタ（Ｅｒｓ２）の分光透過率特性に基づくＲ色主成分光第２光量データを生成する。
また、前記光センサ（Ｃｒａ）からの光検出信号（Ｓｒｍａ）も光量測定回路（Ｈｒ）によって増幅やＡＤ変換等の必要な処理を行い、前記光束色度強度相関データ（Ｄｒ）の一部として、前記Ｒ色出力光束（Ｆｒ）のＲ色付加光光量データを生成する。
【００９４】
当然ながら、前記第１光量検出器（Ａｒｍ１）の前記第１の特性フィルタ（Ｅｒｓ１）と前記主成分光フィルタ（Ｅｒｔｍ）とを分けずに、前記第１の特性フィルタ（Ｅｒｓ１）が前記主成分光フィルタ（Ｅｒｔｍ）の機能をも併せ持つように構成してもよく、これは前記第２光量検出器（Ａｒｍ２）の第２の特性フィルタ（Ｅｒｓ２）についても同様である。
また、前記第１光量検出器（Ａｒｍ１）または前記第２光量検出器（Ａｒｍ２）の何れか一方の前記特性フィルタが素通しであるようにしてもよい。
【００９５】
そして前記制御回路（Ｍｃ）は、前記前記光束色度強度相関データ（Ｄｒ）を受信して、前記Ｒ色主成分光第１光量データおよび前記Ｒ色主成分光第２光量データ、前記Ｒ色付加光光量データを読み取ることができる。
なお、Ｒ色主成分光第１光量データとＲ色主成分光第２光量データとの組が、前記主成分光（Ｆｒｍ）について、色度座標と強度とに相関するものであることは後述する。
【００９６】
以上、前記Ｒ色光束特性測定手段（Ａｒ）の構成について述べ、前記光束色度強度相関データ（Ｄｒ）の生成について説明したが、前記したように、Ｇ色光束特性測定手段（Ａｇ）およびＢ色光束特性測定手段（Ａｂ）の構成、光束色度強度相関データ（Ｄｇ，Ｄｂ）の生成についても同様である。
【００９７】
なお、前記Ｒ色光束特性測定手段（Ａｒ）および前記Ｇ色光束特性測定手段（Ａｇ）、前記Ｂ色光束特性測定手段（Ａｂ）それぞれの、第１光量検出器が有する第１の分光感度特性と、第２光量検出器が有する第２の分光感度特性とは、それぞれの主成分光（Ｆｒｍ，Ｆｇｍ，Ｆｂｍ）の波長帯域において、波長の変化に対する感度の変化率、すなわち波長変化時の感度変化の傾きが相違している状態が実現できればよい。
詳細に言うと、後述する式８，式１１，式１２をそれぞれ Ψr と Ψr・Δλr ， Ψg と Ψg・Δλg ， Ψb と Ψb・Δλb に関する２元連立１次方程式と見たとき、各方程式の行列式が零でない状態が実現できればよい。
ただし、一つの波長帯域における波長の変化に対する感度の変化率の相違の仕方として、一方が正で他方が負、あるいは一方が実質的に零で他方が非零（有限の値）、さらに両方とも同じ符号であるが絶対値が相違する、などの形態があり得るが、その何れでもよい。
【００９８】
なお、このような波長の変化に対する感度の変化率の制約を課すことは、本光源装置に実装される前記主成分光のための発光素子（Ｌｒ１，Ｌｒ２，…，Ｌｇ１，Ｌｇ２，…，Ｌｂ１，Ｌｂ２，…）が有するバラツキ、および想定温度範囲における発光波長変動に起因する、波長変化の上限と下限で規定される帯域幅内に限定すればよく、この帯域幅の外における分光感度特性はどのようであっても構わない。
前記主成分光のための発光素子（Ｌｒ１，Ｌｒ２，…，Ｌｇ１，Ｌｇ２，…，Ｌｂ１，Ｌｂ２，…）のうち一つの波長帯域のために使用するものを、同じメーカの同じ型式の製品に統一するならば、前記した帯域幅は、通常は数ナノメートルから十ナノメートル程度に過ぎないが、前記した第１の分光感度特性、および前記した第２の分光感度特性それぞれについて、この帯域幅内における波長の変化に対する感度の変化率の変化は少ないことが望ましい。
【００９９】
前記光束特性測定手段の構成が図５に示したものの場合、前記制御回路（Ｍｃ）は、前記Ｒ色光束特性測定手段（Ａｒ）および前記Ｇ色光束特性測定手段（Ａｇ）、前記Ｂ色光束特性測定手段（Ａｂ）それぞれの前記した第１光量検出器が有する第１の分光感度特性、および前記した第２光量検出器が有する第２の分光感度特性それぞれについて、少なくとも、基準波長における感度値と波長の変化に対する感度の変化率とからなる局所帯域分光感度情報を保有しておけばよい。
【０１００】
それにより、前記制御回路（Ｍｃ）は、後述するように、前記Ｒ色光束特性測定手段（Ａｒ）および前記Ｇ色光束特性測定手段（Ａｇ）、前記Ｂ色光束特性測定手段（Ａｂ）それぞれの光束色度強度相関データ（Ｄｒ，Ｄｇ，Ｄｂ）のうちの、前記第１光量検出器および前記第２光量検出器から読み取った主成分光第１光量データと主成分光第２光量データとの組、すなわち、Ｒ色主成分光第１光量データとＲ色主成分光第２光量データとの組、Ｇ色主成分光第１光量データとＧ色主成分光第２光量データとの組、Ｂ色主成分光第１光量データとＢ色主成分光第２光量データとの組に基づき、前記局所帯域分光感度情報を利用して、前記Ｒ色の主成分光（Ｆｒｍ）および前記Ｇ色の主成分光（Ｆｇｍ）、前記Ｂ色の主成分光（Ｆｂｍ）のそれぞれ毎の強度に相関する光束強度指示値と基準波長からの偏差に相関する波長偏差指示値とを近似的に算出することができる。
【０１０１】
また、前記制御回路（Ｍｃ）は、色度の計算に必要な等色関数それぞれについて、少なくとも、前記Ｒ色出力光束（Ｆｒ）および前記Ｇ色出力光束（Ｆｇ）、前記Ｂ色出力光束（Ｆｂ）の前記主成分光（Ｆｒｍ，Ｆｇｍ，Ｆｂｍ）の基準波長における関数値と波長の変化に対する関数の変化率、および前記付加光（Ｆｒａ，Ｆｇａ，Ｆｂａ）の基準波長における関数値とからなる局所帯域等色関数情報を保有しておけばよい。
【０１０２】
それにより、前記制御回路（Ｍｃ）は、前記付加光（Ｆｒａ，Ｆｇａ，Ｆｂａ）を混合して生成された出力光束について、さらに付加光を混合せずに生成された出力光束についても、後述するように、前記光束色度強度相関データ（Ｄｒ，Ｄｇ，Ｄｂ）たる、前記した前記Ｒ色の主成分光（Ｆｒｍ）および前記Ｇ色の主成分光（Ｆｇｍ）、前記Ｂ色の主成分光（Ｆｂｍ）のそれぞれ毎の強度に相関する光束強度指示値と基準波長からの偏差に相関する波長偏差指示値と、前記局所帯域等色関数情報とを用いて、前記単色色相指示値を生成することができ、さらに、前記Ｒ色出力光束（Ｆｒ）および前記Ｇ色出力光束（Ｆｇ）、前記Ｂ色出力光束（Ｆｂ）を総合した光について、前記光束色度強度相関データ（Ｄｒ，Ｄｇ，Ｄｂ）と、前記局所帯域等色関数情報とを用いて、前記総合色相指示値を生成することができる。
【０１０３】
前記した光の色の安定化、および明るさの安定化のためのフィードバック制御の仕方に関しては、前記Ｒ色出力光束（Ｆｒ）および前記Ｇ色出力光束（Ｆｇ）、前記Ｂ色出力光束（Ｆｂ）それぞれについて、さらにそれらを総合した光について、値 ｘ，ｙ および Ｙ を、統一的にそれぞれの目標値に向かわせるための、前記駆動回路（Ｐｒ１，Ｐｒ２，…，Ｐｒａ，Ｐｇ１，Ｐｇ２，…）の出力電力の変化量を定量的に決める指針が示されていなかったため、試行錯誤的なフィードバック制御にならざるを得なかった。
ここでは、この点が改善されたフィードバック制御を実現する指針を示す。
【０１０４】
これを実現するために、前記制御回路（Ｍｃ）は、Ｒ色主成分光第１光量データとＲ色主成分光第２光量データとの組、Ｇ色主成分光第１光量データとＧ色主成分光第２光量データとの組、Ｂ色主成分光第１光量データとＢ色主成分光第２光量データとの組に基づき、前記局所帯域分光感度情報を利用して、前記Ｒ色の主成分光（Ｆｒｍ）および前記Ｇ色の主成分光（Ｆｇｍ）、前記Ｂ色の主成分光（Ｆｂｍ）のそれぞれ毎の強度に相関する光束強度指示値と基準波長からの偏差に相関する波長偏差指示値を生成する。
ここで、強度とは、前記発光素子（Ｌｒ１，Ｌｒ２，…，Ｌｒａ，Ｌｇ１，Ｌｇ２，…）のなかの一つの波長帯域に属するもの全ての光パワーに相関するものであるが、同じ波長帯域に属する場合でも主成分光と付加光とは分けて定量化する。
なお、強度は人間の視感度とは無関係である。
一方、明るさは、人間が感じる明るさであるから、同じ光パワー(密度)であっても、波長が変われば、人間の視感度の影響をうけて大きさが変化する。
【０１０５】
また、前記制御回路（Ｍｃ）は、前記した前記Ｒ色の主成分光（Ｆｒｍ）および前記Ｇ色の主成分光（Ｆｇｍ）、前記Ｂ色の主成分光（Ｆｂｍ）のそれぞれ毎の強度に相関する光束強度指示値と基準波長からの偏差に相関する波長偏差指示値、さらに前記Ｒ色出力光束（Ｆｒ）を構成する付加光（Ｆｒａ）および前記Ｇ色出力光束（Ｆｇ）を構成する付加光（Ｆｇａ）、前記Ｂ色出力光束（Ｆｂ）を構成する付加光（Ｆｂａ）それぞれの強度に相関する光束強度指示値を用いて、前記Ｒ色出力光束（Ｆｒ）および前記Ｇ色出力光束（Ｆｇ）、前記Ｂ色出力光束（Ｆｂ）それぞれの色度座標のｙ座標（またはｘ座標で、前記したように条件により好適な方）が、それぞれその目標値に等しくなるための、Ｒ色の主成分光（Ｆｒｍ）の強度に対するその付加光（Ｆｒａ）の強度の比率 ｈr 、Ｇ色の主成分光（Ｆｇｍ）の強度に対するその付加光（Ｆｇａ）の強度の比率 ｈg 、Ｂ色の主成分光（Ｆｂｍ）の強度に対するその付加光（Ｆｂａ）の強度の比率 ｈb をそれぞれ決定する。
【０１０６】
さらに、前記制御回路（Ｍｃ）は、前記Ｒ色の主成分光（Ｆｒｍ）および前記Ｇ色の主成分光（Ｆｇｍ）、前記Ｂ色の主成分光（Ｆｂｍ）それぞれの前記光束強度指示値を微小変化させたときに、前記色相指示値たる三刺激値または色度座標に生じる変化量を、前記した前記光束強度指示値の変化量を用いて、その線形演算で表すときの係数を、前記Ｒ色の主成分光（Ｆｒｍ）および前記Ｇ色の主成分光（Ｆｇｍ）、前記Ｂ色の主成分光（Ｆｂｍ）それぞれの前記光束強度指示値および前記波長偏差指示値、さらに前記したＲ色の主成分光（Ｆｒｍ）の強度に対するその付加光（Ｆｒａ）の強度の比率 ｈr 、Ｇ色の主成分光（Ｆｇｍ）の強度に対するその付加光（Ｆｇａ）の強度の比率 ｈg 、Ｂ色の主成分光（Ｆｂｍ）の強度に対するその付加光（Ｆｂａ）の強度の比率 ｈb を用いて決定する。
【０１０７】
そして前記制御回路（Ｍｃ）は、決定した前記係数を使用して、前記Ｒ色の主成分光（Ｆｒｍ）および前記Ｇ色の主成分光（Ｆｇｍ）、前記Ｂ色の主成分光（Ｆｂｍ）それぞれの前記光束強度指示値を微小変化させるための変化量を決定し、これに基づいて前記制御回路（Ｍｃ）は、前記駆動回路制御信号（Ｊｒ１，Ｊｒ２，…，Ｊｒａ，Ｊｇ１，Ｊｇ２，…）を介して前記駆動回路（Ｐｒ１，Ｐｒ２，…，Ｐｒａ，Ｐｇ１，Ｐｇ２，…）の出力電力を設定する。
【０１０８】
以上の動作を繰り返すことにより、前記Ｒ色出力光束（Ｆｒ）および前記Ｇ色出力光束（Ｆｇ）、前記Ｂ色出力光束（Ｆｂ）それぞれの色度座標のｙ座標（またはｘ座標で、前記したように条件により好適な方）が、それぞれその目標値に等しく、かつ前記Ｒ色出力光束（Ｆｒ）および前記Ｇ色出力光束（Ｆｇ）、前記Ｂ色出力光束（Ｆｂ）を総合した光についての三刺激値 Ｘ，Ｙ，Ｚ 、または色度座標 ｘ，ｙ および明るさ Ｙ が、その目標値に維持されるようフィードバック制御ループを構築することができる。
【０１０９】
なお、前記した電力光量比例則を前提として、前記Ｒ色の主成分光（Ｆｒｍ）および前記Ｇ色の主成分光（Ｆｇｍ）、前記Ｂ色の主成分光（Ｆｂｍ）それぞれの前記光束強度指示値は、前記駆動回路（Ｐｒ１，Ｐｒ２，…，Ｐｒａ，Ｐｇ１，Ｐｇ２，…）のなかの、前記Ｒ色の主成分光（Ｆｒｍ）を構成する発光素子を駆動するものの出力電力の総和 Ｐr 、および前記Ｇ色の主成分光（Ｆｇｍ）を構成する発光素子を駆動するものの出力電力の総和 Ｐg 、前記Ｂ色の主成分光（Ｆｂｍ）を構成する発光素子を駆動するものの出力電力の総和 Ｐb それぞれと、独立に比例関係にあると考えてよい。
例えば、前記Ｒ色の主成分光（Ｆｒｍ）および前記Ｇ色の主成分光（Ｆｇｍ）、前記Ｂ色の主成分光（Ｆｂｍ）それぞれの前記光束強度指示値を全て１％増す場合、前記した出力電力の総和それぞれが、２００Ｗ，３００Ｗ，１００Ｗであったならば、それぞれ２０２Ｗ，３０３Ｗ，１０１Ｗとすればよい。
【０１１０】
以下において、前記した改善されたフィードバック制御を実現する指針について定量的に説明する。
なお、前記した式１等においては、一般的な光束のスペクトルの強度として記号 Ｓ を用いたが、以降においては、主成分光に対する強度には記号 Ψ を、付加光に対する強度には記号 ψ をそれぞれ用いて区別する。
先ず、波長 λ をパラメータとするスペクトル Ψr(λ) で表されるＲ色の被測定主成分光を、前記第１光量検出器（Ａｒｍ１）および前記第２光量検出器（Ａｒｍ２）を用いて測定した前記Ｒ色主成分光第１光量データおよび前記Ｒ色主成分光第２光量データから、前記光束強度指示値と、前記波長偏差指示値たる基準波長からの偏差とを求める計算方法について説明する。
【０１１１】
前記Ｒ色光束特性測定手段（Ａｒ）における前記第１光量検出器（Ａｒｍ１）および前記第２光量検出器（Ａｒｍ２）それぞれがＲ色の波長帯域における分光感度特性 ｒm(λ)，ｒn(λ) を有するとすると、前記Ｒ色主成分光第１光量データおよび前記Ｒ色主成分光第２光量データに含まれる光量測定データ値 Ｒm，Ｒn は、以下の式（式４）
Ｒm ＝ ∫Ψr(λ)・ｒm(λ)・ｄλ
Ｒn ＝ ∫Ψr(λ)・ｒn(λ)・ｄλ
のように表せる
なお、これらの積分領域は、少なくとも被測定光束 Ψr(λ) のスペクトルが存在する波長帯域を覆う領域とする。
ここで、被測定光束が単色光であると近似すると、そのスペクトル Ψr(λ) は、デルタ関数 δ(λ) を用いて以下の式（式５）
Ψr(λ) ＝ Ψr・δ(λ−λro −Δλr )
のように表せる。
ここで、Ｒ色の主成分光の基準波長を λro とし、前記波長偏差指示値たる基準波長からの偏差を Δλr 、また、前記Ｒ色の主成分光（Ｆｒｍ）の前記光束強度指示値を Ψr とした。
【０１１２】
一般に、関数 ｆ ＝ ｆ(λ) の変数 λ が Δλ だけ微小変化したときの関数の変化 Δｆ は、関数 ｆ の微分係数 ｄｆ/ｄλ を用いて以下の式（式６）
Δｆ ＝ (ｄｆ/ｄλ)・Δλ
で近似できる
よって λ が λro の近傍では、λ＝λro ＋Δλr と書けば、前記した分光感度特性は、以下の式（式７）
ｒm(λ) ＝ ｒm(λro＋Δλr) ＝ ｒm(λro) ＋ Ｅrmo・Δλr
ｒn(λ) ＝ ｒn(λro＋Δλr) ＝ ｒn(λro) ＋ Ｅrno・Δλr
のように書ける
ただし Ｅrmo および Ｅrno は、ｒm(λ) および ｒm(λ) の微分係数の、λ が λro であるときの値である。
前記した式５，式７を前記した式４それぞれに適用すると、以下の式（式８）
Ｒm ＝ Ψr・∫δ(λ−λro −Δλr)・ｒm(λ)・ｄλ
＝ Ψr・ｒm(λro ＋Δλr)
＝ Ψr・{ ｒm(λro) ＋ Ｅrmo・Δλr }
Ｒn ＝ Ψr・{ ｒn(λro) ＋ Ｅrno・Δλr }
ただし、
Ｅrmo ＝ ｄｒm/ｄλ(λ=λro)
Ｅrno ＝ ｄｒn/ｄλ(λ=λro)
を得る。
これらは、以下のよう
Ｒm ＝ ｒm(λro)・Ψr ＋ Ｅrmo・Ψr・Δλr
Ｒn ＝ ｒn(λro)・Ψr ＋ Ｅrno・Ψr・Δλr
に書き改めれば判るように、Ψr と Ψr・Δλr に関する２元連立１次方程式であるから、それは初等計算によって解けて Ψr と Ψr・Δλr の値を、したがって Ψr と Δλr の値を求めることができる。
【０１１３】
以上、前記Ｒ色の主成分光（Ｆｒｍ）について述べたが、Ｇ色の主成分光（Ｆｇｍ）およびＢ色の主成分光（Ｆｂｍ）についても同様である。
前記Ｇ色光束特性測定手段（Ａｇ）におけるＧ色の波長帯域の分光感度特性 ｇm(λ)，ｇn(λ) 、および前記Ｂ色光束特性測定手段（Ａｂ）におけるＢ色の波長帯域の分光感度特性 ｂm(λ)，ｂn(λ) を用いると、前記Ｇ色主成分光第１光量データと前記Ｇ色主成分光第２光量データ、および前記Ｂ色主成分光第１光量データと前記Ｂ色主成分光第２光量データに含まれる光量測定データ値 Ｇm，Ｇn および Ｂm，Ｂn は、以下の式（式９）
Ｇm ＝ ∫Ψg(λ)・ｇm(λ)・ｄλ
Ｇn ＝ ∫Ψg(λ)・ｇn(λ)・ｄλ
Ｂm ＝ ∫Ψb(λ)・ｂm(λ)・ｄλ
Ｂn ＝ ∫Ψb(λ)・ｂn(λ)・ｄλ
のように表せる。
上式に現れたＧ色の主成分光（Ｆｇｍ）およびＢ色の主成分光（Ｆｂｍ）のスペクトル Ψg(λ)，Ψb(λ) についても、Ｇ，Ｂ色の主成分光それぞれの基準波長 λgo，λbo 、および前記波長偏差指示値たる基準波長からの偏差 Δλg，Δλb 、さらに前記光束強度指示値 Ψg，Ψb を用いてデルタ関数 δ(λ) で表せば、以下の式（式１０）
Ψg(λ) ＝ Ψg・δ(λ−λgo −Δλg )
Ψb(λ) ＝ Ψb・δ(λ−λbo −Δλb )
のように表せる。
【０１１４】
よって、前記した式８と同様に、以下の式（式１１）
Ｇm ＝ Ψg・{ ｇm(λgo) ＋ Ｅgmo・Δλg }
Ｇn ＝ Ψg・{ ｇn(λgo) ＋ Ｅgno・Δλg }
ただし、
Ｅgmo ＝ ｄｇm/ｄλ(λ=λgo)
Ｅgno ＝ ｄｇn/ｄλ(λ=λgo)
および以下の式（式１２）
Ｂm ＝ Ψb・{ ｂm(λbo) ＋ Ｅbmo・Δλb }
Ｂn ＝ Ψb・{ ｂn(λbo) ＋ Ｅbno・Δλb }
ただし、
Ｅbmo ＝ ｄｂm/ｄλ(λ=λbo)
Ｅbno ＝ ｄｂn/ｄλ(λ=λbo)
を得るから、これらによって Ψg と Δλg 、および Ψb と Δλb の値を求めることができる。
【０１１５】
以上、光束色度強度相関データ（Ｄｒ，Ｄｇ，Ｄｂ）のうちの、前記Ｒ色光束特性測定手段（Ａｒ）を用いて測定した前記Ｒ色主成分光第１光量データと前記Ｒ色主成分光第２光量データ Ｒm，Ｒn 、前記Ｇ色光束特性測定手段（Ａｇ）を用いて測定した前記Ｇ色主成分光第１光量データと前記Ｇ色主成分光第２光量データ Ｇm，Ｇn 、前記Ｂ色光束特性測定手段（Ａｂ）を用いて測定した前記Ｂ色主成分光第１光量データと前記Ｂ色主成分光第２光量データ Ｂm，Ｂn から、前記Ｒ色の主成分光（Ｆｒｍ）および前記Ｇ色の主成分光（Ｆｇｍ）、前記Ｂ色の主成分光（Ｆｂｍ）それぞれに関する、前記光束強度指示値たる Ψr，Ψg，Ψb と、前記波長偏差指示値たる基準波長からの偏差 Δλr，Δλg，Δλb を求めるまでをまとめると、以下のようである。
【０１１６】
先ず、前記Ｒ色光束特性測定手段（Ａｒ）に関する局所帯域分光感度情報、すなわち前記Ｒ色の主成分光（Ｆｒｍ）の基準波長 λro における分光感度特性 ｒm(λ)，ｒn(λ) の値 ｒm(λro)，ｒn(λro) と分光感度特性の波長の変化に対する感度の変化率の値 Ｅrmo，Ｅrno 、前記Ｇ色光束特性測定手段（Ａｇ）に関する局所帯域分光感度情報、すなわち前記Ｇ色の主成分光（Ｆｇｍ）の基準波長 λgo における分光感度特性 ｇm(λ)，ｇn(λ) の値 ｇm(λro)，ｇn(λro) と分光感度特性の波長の変化に対する感度の変化率の値 Ｅgmo，Ｅgno 、前記Ｂ色光束特性測定手段（Ａｂ）に関する局所帯域分光感度情報、すなわち前記Ｂ色の主成分光（Ｆｂｍ）の基準波長 λbo における分光感度特性 ｂm(λ)，ｂn(λ) の値 ｂm(λro)，ｂn(λro) と分光感度特性の波長の変化に対する感度の変化率の値 Ｅbmo，Ｅbno を事前に準備しておく。
そして前記した光量測定データ値 Ｒm，Ｒn と Ｇm，Ｇn と Ｂm，Ｂn とが得られれば、前記した式８，式１１，式１２からなる方程式の解により、簡単に前記光束強度指示値 Ψr，Ψg，Ψb と、前記波長偏差指示値たる基準波長からの偏差 Δλr，Δλg，Δλb を求めることができる。
【０１１７】
また、前記Ｒ色出力光束（Ｆｒ）を構成する付加光（Ｆｒａ）および前記Ｇ色出力光束（Ｆｇ）を構成する付加光（Ｆｇａ）、前記Ｂ色出力光束（Ｆｂ）を構成する付加光（Ｆｂａ）それぞれに関する光束強度指示値たる ψr，ψg，ψb は、前記光束色度強度相関データ（Ｄｒ，Ｄｇ，Ｄｂ）に含まれる、主成分光に関する測定と並行して、前記Ｒ色光束特性測定手段（Ａｒ）によって測定されたＲ色付加光光量データ、前記Ｇ色光束特性測定手段（Ａｇ）によって測定されたＧ色付加光光量データ、前記Ｂ色光束特性測定手段（Ａｂ）によって測定されたＢ色付加光光量データからそれぞれ取得すればよい。
【０１１８】
前記した電力光量比例則に関して述べた前記駆動回路（Ｐｒ１，Ｐｒ２，…，Ｐｒａ，Ｐｇ１，Ｐｇ２，…）のなかの、前記Ｒ色の主成分光（Ｆｒｍ）を構成する発光素子を駆動するものの出力電力の総和 Ｐr 、および前記Ｇ色の主成分光（Ｆｇｍ）を構成する発光素子を駆動するものの出力電力の総和 Ｐg 、前記Ｂ色の主成分光（Ｆｂｍ）を構成する発光素子を駆動するものの出力電力の総和 Ｐb それぞれは、前記Ｒ色の主成分光（Ｆｒｍ）および前記Ｇ色の主成分光（Ｆｇｍ）、前記Ｂ色の主成分光（Ｆｂｍ）それぞれの前記光束強度指示値たる Ψr，Ψg，Ψb の目標値 Ψrp，Ψgp，Ψbp に対し、それぞれ独立な比例係数 Ｋr，Ｋg，Ｋb で結んだ以下の式（式１３）
Ｐr ＝ Ｋr・Ψrp
Ｐg ＝ Ｋg・Ψgp
Ｐb ＝ Ｋb・Ψbp
のように表すことができる。
【０１１９】
同様に、前記駆動回路（Ｐｒａ，Ｐｇａ，Ｐｂａ，…）のなかの前記Ｒ色出力光束（Ｆｒ）を構成する前記付加光（Ｆｒａ）を発する発光素子を駆動するものの出力電力の総和 ｐr 、および前記Ｇ色出力光束（Ｆｇ）を構成する前記付加光（Ｆｇａ）を発する発光素子を駆動するものの出力電力の総和 ｐg 、前記Ｂ色出力光束（Ｆｂ）を構成する前記付加光（Ｆｂａ）を発する発光素子を駆動するものの出力電力の総和 ｐb それぞれは、前記Ｒ色出力光束（Ｆｒ）を構成する付加光（Ｆｒａ）および前記Ｇ色出力光束（Ｆｇ）を構成する付加光（Ｆｇａ）、前記Ｂ色出力光束（Ｆｂ）を構成する付加光（Ｆｂａ）それぞれの前記光束強度指示値たる ψr，ψg，ψb の目標値 ψrp，ψgp，ψbp に対し、それぞれ独立な比例係数 ｋr，ｋg，ｋb で結んだ以下の式（式１４）
ｐr ＝ ｋr・ψrp
ｐg ＝ ｋg・ψgp
ｐb ＝ ｋb・ψbp
のように表すことができる。
【０１２０】
ただし、目標値 ψrp，ψgp，ψbp と Ψrp，Ψgp，Ψbp とは、前記したＲ色の主成分光（Ｆｒｍ）の強度に対するその付加光（Ｆｒａ）の強度の比率 ｈr 、Ｇ色の主成分光（Ｆｇｍ）の強度に対するその付加光（Ｆｇａ）の強度の比率 ｈg 、Ｂ色の主成分光（Ｆｂｍ）の強度に対するその付加光（Ｆｂａ）の強度の比率 ｈb を介して、以下の式（式１５）
ψrp ＝ ｈr・Ψrp
ψgp ＝ ｈg・Ψgp
ψbp ＝ ｈb・Ψbp
により結ばれる。
【０１２１】
前記した前記Ｒ色光束特性測定手段（Ａｒ）を用いて測定した前記Ｒ色主成分光第１光量データと前記Ｒ色主成分光第２光量データ Ｒm，Ｒn 、前記Ｇ色光束特性測定手段（Ａｇ）を用いて測定した前記Ｇ色主成分光第１光量データと前記Ｇ色主成分光第２光量データ Ｇm，Ｇn 、前記Ｂ色光束特性測定手段（Ａｂ）を用いて測定した前記Ｂ色主成分光第１光量データと前記Ｂ色主成分光第２光量データ Ｂm，Ｂn に基づいて、式８，式１１，式１２を解いて得た前記光束強度指示値 Ψr，Ψg，Ψb それぞれの値と、前記した Ｐr，Ｐg，Ｐb との比から、前記した式１３の比例係数 Ｋr，Ｋg，Ｋb を決定することができる。
【０１２２】
最初、比例係数 Ｋr，Ｋg，Ｋb には、未確定ではあるが適当に定めた安全な初期値が設定されているとして、未確定な Ｋr，Ｋg，Ｋb に基づいて、光束強度指示値 Ψr，Ψg，Ψb に対する適当に定めた安全な初期目標値 Ψrp，Ψgp，Ψbp を生ずるであろう Ｐr，Ｐg，Ｐb を、前記した式１３によって仮決定する。
以降、その Ｐr，Ｐg，Ｐb の値にて実際に発光素子を駆動したときの、前記した光量測定データ値 Ｒm，Ｒn と Ｇm，Ｇn と Ｂm，Ｂn に基づいて、式８，式１１，式１２を解いて得た、前記光束強度指示値 Ψr，Ψg，Ψb それぞれの値と、その元となった目標値 Ψrp，Ψgp，Ψbp との比を用いて、比例係数 Ｋr，Ｋg，Ｋb を、以下の式（式１６）
Ｋr ＝ Ｋr・Ψrp／Ψr
Ｋg ＝ Ｋg・Ψgp／Ψg
Ｋb ＝ Ｋb・Ψbp／Ψb
に従って補正すればよい。
【０１２３】
この補正は、フィードバック制御ループにおける繰り返しのなかで、後述するように、Ψr，Ψg，Ψb の微小変化量 ΔΨr，ΔΨg，ΔΨb を決め、以下の式（式１７）
Ψrp ＝ Ψr ＋ ΔΨr
Ψgp ＝ Ψg ＋ ΔΨg
Ψbp ＝ Ψb ＋ ΔΨb
に従って目標値 Ψrp，Ψgp，Ψbp を更新し、前記した式１３に従って電力を再設定して、前記した光量測定データ値 Ｒm，Ｒn と Ｇm，Ｇn と Ｂm，Ｂn を測定する度に行うことにすればよい。
このようにすることにより、前記したように、前記比例係数 Ｋr，Ｋg，Ｋb が真の比例定数ではなく、例えば飽和傾向を示すような、非直線的なものであっても、前記した式１３で規定される、単なる比として補正が繰り返し行われるため、Ｒ，Ｇ，Ｂ各駆動回路の電力 Ｐr，Ｐg，Ｐb と、光束強度指示値 Ψr，Ψg，Ψb （やその目標値 Ψrp，Ψgp，Ψbp ）との正しい対応が維持される。
【０１２４】
また、前記した付加光に関する電力 ｐr，ｐg，ｐb に対しても同様に、最初、比率 ｈr，ｈg，ｈb 、および比例係数 ｋr，ｋg，ｋb には、未確定ではあるが適当に定めた安全な初期値が設定されているとして、未確定な ｋr，ｋg，ｋb に基づいて、光束強度指示値 ψr，ψg，ψb に対する適当に定めた安全な初期目標値 ψrp，ψgp，ψbp を生ずるであろう ｐr，ｐg，ｐb を、前記した式１４および式１５によって仮決定する。
以降、その ｐr，ｐg，ｐb の値にて実際に発光素子を駆動したときの、前記Ｒ色付加光光量データおよび前記Ｇ色付加光光量データ、前記Ｂ色付加光光量データから得た前記光束強度指示値 ψr，ψg，ψb それぞれの値と、その元となった目標値 ψrp，ψgp，ψbp との比を用いて、比例係数 ｋr，ｋg，ｋb を、以下の式（式１８）
ｋr ＝ ｋr・ψrp／ψr
ｋg ＝ ｋg・ψgp／ψg
ｋb ＝ ｋb・ψbp／ψb
に従って補正すればよい。
この補正は、フィードバック制御ループにおける繰り返しのなかで、前記目標値 Ψrp，Ψgp，Ψbp と前記比率 ｈr，ｈg，ｈb が更新される度に行えばよい。
【０１２５】
なお、前記した式１６および式１８における各式の等号は、その右辺の計算結果を左辺の変数に代入する、という意味で、一般的プログラミング言語、例えばＣにおける計算命令の記法に従って表記している。
【０１２６】
以降においては、具体的に求められた、主成分光に関する前記光束強度指示値 Ψr，Ψg，Ψb と、前記波長偏差指示値たる基準波長からの偏差 Δλr，Δλg，Δλb 、および付加光に関する前記光束強度指示値 ψr，ψg，ψb の値を用いて、前記Ｒ色出力光束（Ｆｒ）および前記Ｇ色出力光束（Ｆｇ）、前記Ｂ色出力光束（Ｆｂ）それぞれについて、色度座標のｙ座標の目標値が実現されるよう、前記比率 ｈr，ｈg，ｈb を決定する方法を説明する。
その後、前記Ｒ色出力光束（Ｆｒ）および前記Ｇ色出力光束（Ｆｇ）、前記Ｂ色出力光束（Ｆｂ）を総合した光について、三刺激値 Ｘ，Ｙ，Ｚ がその目標値に維持されるよう、あるいは色度座標 ｘ，ｙ および明るさ Ｙ がその目標値に維持されるようフィードバック制御を行うために、前記光束強度指示値 Ψr，Ψg，Ψb を微小変化させるときの変化量 ΔΨr，ΔΨg，ΔΨb を決定する方法について説明する。
【０１２７】
前記した等色関数 ｘe(λ)，ｙe(λ)，ｚe(λ) についても、同様に前記した式６を適用して、波長 λ が λro の近傍では、λ＝λro ＋Δλr と書いて、以下の式（式２０）
ｘe(λ) ＝ ｘe(λro ＋Δλr) ＝ ｘe(λro) ＋ Ｆxro・Δλr
ｙe(λ) ＝ ｙe(λro ＋Δλr) ＝ ｙe(λro) ＋ Ｆyro・Δλr
ｚe(λ) ＝ ｚe(λro ＋Δλr) ＝ ｚe(λro) ＋ Ｆzro・Δλr
ただし、
Ｆxro ＝ ｄｘe/ｄλ(λ=λro)
Ｆyro ＝ ｄｙe/ｄλ(λ=λro)
Ｆzro ＝ ｄｚe/ｄλ(λ=λro)
を得る。
同様に λ が λgo の近傍では、λ＝λgo ＋Δλg と書いて、以下の式（式２１）
ｘe(λ) ＝ ｘe(λgo ＋Δλg) ＝ ｘe(λgo) ＋ Ｆxgo・Δλg
ｙe(λ) ＝ ｙe(λgo ＋Δλg) ＝ ｙe(λgo) ＋ Ｆygo・Δλg
ｚe(λ) ＝ ｚe(λgo ＋Δλg) ＝ ｚe(λgo) ＋ Ｆzgo・Δλg
ただし、
Ｆxgo ＝ ｄｘe/ｄλ(λ=λgo)
Ｆygo ＝ ｄｙe/ｄλ(λ=λgo)
Ｆzgo ＝ ｄｚe/ｄλ(λ=λgo)
さらに λ が λbo の近傍では、λ＝λbo ＋Δλb と書いて、以下の式（式２２）
ｘe(λ) ＝ ｘe(λbo ＋Δλb) ＝ ｘe(λbo) ＋ Ｆxbo・Δλb
ｙe(λ) ＝ ｙe(λbo ＋Δλb) ＝ ｙe(λbo) ＋ Ｆybo・Δλb
ｚe(λ) ＝ ｚe(λbo ＋Δλb) ＝ ｚe(λbo) ＋ Ｆzbo・Δλb
ただし、
Ｆxbo ＝ ｄｘe/ｄλ(λ=λbo)
Ｆybo ＝ ｄｙe/ｄλ(λ=λbo)
Ｆzbo ＝ ｄｚe/ｄλ(λ=λbo)
を得る。
【０１２８】
前記Ｒ色出力光束（Ｆｒ）が、単色の主成分光（Ｆｒｍ）と単色の付加光（Ｆｒａ）の混合であるとし、前記付加光（Ｆｒａ）がＧ色で、その基準波長を λgo' と書くと、そのスペクトル Ｓr(λ) は、デルタ関数を用いて以下の式（式２３）
Ｓr(λ) ＝ Ψr・δ(λ−λro −Δλr) ＋ ψr・δ(λ−λro')
のように表せるから、前記Ｒ色出力光束（Ｆｒ）の三刺激値 Ｘr，Ｙr，Ｚr として、以下の式（式２４）
Ｘr ＝ Ψr・ｘe(λro ＋ Δλr) ＋ ψr・ｘe(λgo')
＝ Ψr・{ ｘe(λro) ＋ Ｆxro・Δλr } ＋ ψr・ｘe(λgo')
Ｙr ＝ Ψr・{ ｙe(λro) ＋ Ｆyro・Δλr } ＋ ψr・ｙe(λgo')
Ｚr ＝ Ψr・{ ｚe(λro) ＋ Ｆzro・Δλr } ＋ ψr・ｚe(λgo')
を得る。
なお、前記したＧ色の付加光（Ｆｒａ）の基準波長 λgo' と、Ｇ色出力光束（Ｆｇ）のＧ色の主成分光（Ｆｇｍ）の基準波長 λgo とは、同じであっても相違しても構わない。
【０１２９】
同様に、前記Ｇ色出力光束（Ｆｇ）が、単色の主成分光（Ｆｇｍ）と単色の付加光（Ｆｇａ）の混合であるとし、図４の前記色度座標点（ｃｇ）に対応して、前記付加光（Ｆｇａ）がＲ色で、その基準波長を λro' と書くと、前記Ｒ色出力光束（Ｆｒ）の三刺激値 Ｘg，Ｙg，Ｚg として、以下の式（式２５）
Ｘg ＝ Ψg・ｘe(λgo ＋ Δλg) ＋ ψg・ｘe(λro')
＝ Ψg・{ ｘe(λgo) ＋ Ｆxgo・Δλg } ＋ ψg・ｘe(λro')
Ｙg ＝ Ψg・{ ｙe(λgo) ＋ Ｆygo・Δλg } ＋ ψg・ｙe(λro')
Ｚg ＝ Ψg・{ ｚe(λgo) ＋ Ｆzgo・Δλg } ＋ ψg・ｚe(λro')
を得る。
なお、前記したＲ色の付加光（Ｆｇａ）の基準波長 λro' と、Ｒ色出力光束（Ｆｒ）のＲ色の主成分光（Ｆｒｍ）の基準波長 λro とは、同じであっても相違しても構わない。
【０１３０】
また、図４の前記色度座標点（ｃｇ’）に対応して、前記付加光（Ｆｇａ）をＢ色とする場合は、基準波長 λro' は λbo' に置換え、これと、Ｂ色出力光束（Ｆｂ）のＢ色の主成分光（Ｆｂｍ）の基準波長 λbo とは、同じであっても相違しても構わない。
さらに、図４の前記色度座標点（ｃｇ”）に対応して、付加光（Ｆｇａ）をＲ色とＢ色の両方とする場合は、光束強度指示値 ψg は、その時点で発光させる方の発光素子のものとすればよい。
なお、以降の説明においても、前記Ｇ色出力光束（Ｆｇ）の前記付加光（Ｆｇａ）の基準波長 λro' の λbo' への置換えは、前記主成分光（Ｆｇｍ）の色度座標点（ｃｇ，ｃｇ’，ｃｇ”）の別に応じて常に可能である。
【０１３１】
さらに同様に、前記Ｂ色出力光束（Ｆｂ）が、単色の主成分光（Ｆｂｍ）と単色の付加光（Ｆｂａ）の混合であるとし、前記付加光（Ｆｂａ）がＧ色で、その基準波長を λgo" と書くと、前記Ｒ色出力光束（Ｆｒ）の三刺激値 Ｘb，Ｙb，Ｚb として、以下の式（式２６）
Ｘb ＝ Ψb・ｘe(λbo ＋ Δλb) ＋ ψb・ｘe(λgo")
＝ Ψb・{ ｘe(λbo) ＋ Ｆxbo・Δλb } ＋ ψb・ｘe(λgo")
Ｙb ＝ Ψb・{ ｙe(λbo) ＋ Ｆybo・Δλb } ＋ ψb・ｙe(λgo")
Ｚb ＝ Ψb・{ ｚe(λbo) ＋ Ｆzbo・Δλb } ＋ ψb・ｚe(λgo")
を得る。
なお、前記したＧ色の付加光（Ｆｂａ）の基準波長 λgo" と、Ｇ色出力光束（Ｆｇ）のＧ色の主成分光（Ｆｇｍ）の基準波長 λgo とは、同じであっても相違しても構わない。
【０１３２】
便宜上、三刺激値 Ｘ，Ｙ，Ｚ の和を Ｔ と書くことにして、前記Ｒ色出力光束（Ｆｒ）および前記Ｇ色出力光束（Ｆｇ）、前記Ｂ色出力光束（Ｆｂ）それぞれについてのそれを、以下の式（式２７）
Ｔr ＝ Ｘr ＋ Ｙr ＋Ｚr
Ｔg ＝ Ｘg ＋ Ｙg ＋Ｚg
Ｔb ＝ Ｘb ＋ Ｙb ＋Ｚb
によって計算すれば、前記Ｒ色出力光束（Ｆｒ）および前記Ｇ色出力光束（Ｆｇ）、前記Ｂ色出力光束（Ｆｂ）それぞれについての色度座標のｙ座標は、Ｒ色出力光束については式２４の Ｙr 、Ｇ色出力光束については式２５の Ｙg 、Ｂ色出力光束については式２６の Ｙb それぞれと式２７の Ｔr，Ｔg，Ｔb とによって、以下の式（式２８）
ｙr ＝ Ｙr／Ｔr
ｙg ＝ Ｙg／Ｔg
ｙg ＝ Ｙg／Ｔg
のように表せる。
いま、これら ｙr，ｙg，ｙb が、その目標値 ｙrp，ｙgp，ｙbp に対し、それぞれ差異を有するとして、その差異を埋めるように、光束強度指示値 ψr，ψg，ψb を変化させることを考える。
【０１３３】
先ずＲ色出力光束について考えると、ｙr が ψr を変数に持つ関数と見ると、ψr の変化に対して ｙr が変化するときの傾きは、式２８の第１式を ψr で微分した、以下の式（式２９）
ｄｙr/ｄψr ＝ { ｄＹr/ｄψr・Ｔr − Ｙr・ｄＴr/ｄψr }／{Ｔr・Ｔr}
＝ { ｙe(λgo')・Ｔr − Ｙr・{ ｘe(λgo') ＋ ｙe(λgo') ＋ ｚe(λgo') }
}／{Ｔr・Ｔr}
＝ { ｙe(λgo') − ｙr・{ ｘe(λgo') ＋ ｙe(λgo') ＋ ｚe(λgo') }
}／Ｔr
で与えられるから、ｙr の目標値 ｙrp に対する差異 Δｙr に対し、それを埋めるために必要な ψr の変化量 Δψr は、ダンピング係数 Ｄ ＝ ０〜１ を介して、以下の式（式３０）
Δψr ＝ Δｙr／(ｄｙr/ｄψr)
＝ Ｄ・{ ｙrp − ｙr }／(ｄｙr/ｄψr)
のように求められる。
この Δψr を用いて、前記した Ψr に対する ψr の比率 ｈr は、以下の式（式３１）
ｈr ＝ ψr／Ψr  →  ｈr ＝ { ψr ＋ Δψr }／Ψr
のように更新すればよい。
【０１３４】
また、Ｇ色出力光束についても同様に、ψg の変化に対して ｙg が変化するときの傾きを与える以下の式（式３２）
ｄｙg/ｄψg ＝ { ｄＹg/ｄψg・Ｔg − Ｙg・ｄＴg/ｄψg }／{Ｔg・Ｔg}
＝ { ｙe(λro')・Ｔg − Ｙg・{ ｘe(λro') ＋ ｙe(λro') ＋ ｚe(λro') }
}／{Ｔg・Ｔg}
＝ { ｙe(λro') − ｙg・{ ｘe(λro') ＋ ｙe(λro') ＋ ｚe(λro') }
}／Ｔg
を、ダンピング係数 Ｄ を介して、ｙ座標の目標値 ｙgp を実現するために必要な ψg の変化量 Δψg を与える以下の式（式３３）
Δψg ＝ Δｙg／(ｄｙg/ｄψg)
＝ Ｄ・{ ｙgp − ｙg }／(ｄｙg/ｄψg)
に適用し、以下の式（式３４）
ｈg ＝ ψg／Ψg  →  ｈg ＝ { ψg ＋ Δψg }／Ψg
により、前記した Ψg に対する ψg の比率 ｈg を更新すればよい。
【０１３５】
なお、前記した式３２，式３３，式３４は、Ｇ色出力光束が図４の前記色度座標点（ｃｇ）である場合に対応して記載されている。
Ｇ色出力光束が前記色度座標点（ｃｇ’）である場合には、前記した式３２，式３３，式３４において、基準波長 λro' を λbo' に置換えれば適用できる。
【０１３６】
さらに、Ｂ色出力光束についても同様に、ψb の変化に対して ｙb が変化するときの傾きを与える以下の式（式３５）
ｄｙb/ｄψb ＝ { ｄＹb/ｄψb・Ｔb − Ｙb・ｄＴb/ｄψb }／{Ｔb・Ｔb}
＝ { ｙe(λgo")・Ｔb − Ｙb・{ ｘe(λgo") ＋ ｙe(λgo") ＋ ｚe(λgo") }
}／{Ｔb・Ｔb}
＝ { ｙe(λgo") − ｙb・{ ｘe(λgo") ＋ ｙe(λgo") ＋ ｚe(λgo") }
}／Ｔb
を、ダンピング係数 Ｄ を介して、ｙ座標の目標値 ｙbp を実現するために必要な ψb の変化量 Δψb を与える以下の式（式３６）
Δψb ＝ Δｙb／(ｄｙb/ｄψb)
＝ Ｄ・{ ｙbp − ｙb }／(ｄｙb/ｄψb)
に適用し、以下の式（式３７）
ｈb ＝ ψb／Ψb  →  ｈb ＝ { ψb ＋ Δψb }／Ψb
により、前記した Ψb に対する ψb の比率 ｈb を更新すればよい。
【０１３７】
一方、Ｇ色出力光束が、図４の前記色度座標点（ｃｇ”）に対応して、付加光（Ｆｇａ）をＲ色とＢ色の両方とする場合は、前記したように、付加光の基準波長は λro' と λbo' との何れかであり、光束強度指示値 ψg は、その時点で発光させる方の発光素子のものとすればよい。
以下、付加光の基準波長が λro' の場合について記せば、このとき、前記した式２５の Ｘg と、前記した式２７の Ｔg とによって、前記Ｇ色出力光束（Ｆｇ）のｘ座標は、以下の式（式３８）
ｘg ＝ Ｘg／Ｔg
のように表せるから、これを ψg で微分することにより得られる、ψg の変化に対して ｘg が変化するときの傾きを与える以下の式（式３９）
ｄｘg/ｄψg ＝ { ｄＸg/ｄψg・Ｔg − Ｘg・ｄＴg/ｄψg }／{Ｔg・Ｔg}
＝ { ｘe(λro')・Ｔg − Ｘg・{ ｘe(λro') ＋ ｘe(λro') ＋ ｚe(λro') }
}／{Ｔg・Ｔg}
＝ { ｘe(λro') − ｘg・{ ｘe(λro') ＋ ｘe(λro') ＋ ｚe(λro') }
}／Ｔg
を、ダンピング係数 Ｄ を介して、ｙ座標の目標値 ｘgp を実現するために必要な ψg の変化量 Δψg を与える以下の式（式４０）
Δψg ＝ Δｘg／(ｄｘg/ｄψg)
＝ Ｄ・{ ｘgp − ｘg }／(ｄｘg/ｄψg)
に適用し、前記した式３４により、前記した Ψg に対する ψg の比率 ｈg を更新すればよい。
【０１３８】
以上、前記Ｒ色の主成分光（Ｆｒｍ）および前記Ｇ色の主成分光（Ｆｇｍ）、前記Ｂ色の主成分光（Ｆｂｍ）それぞれに関する、前記光束強度指示値たる Ψr，Ψg，Ψb と、前記波長偏差指示値たる基準波長からの偏差 Δλr，Δλg，Δλb と、前記Ｒ色出力光束（Ｆｒ）を構成する付加光（Ｆｒａ）および前記Ｇ色出力光束（Ｆｇ）を構成する付加光（Ｆｇａ）、前記Ｂ色出力光束（Ｆｂ）を構成する付加光（Ｆｂａ）それぞれに関する光束強度指示値たる ψr，ψg，ψb が求められた後、これらの値を用いて前記した Ψr，Ψg，Ψb に対する ψr，ψg，ψb の比率 ｈr，ｈg，ｈb を更新するまでをまとめると以下のようである。
【０１３９】
先ず、等色関数 ｘe(λ)，ｙe(λ)，ｚe(λ) に関する局所帯域等色関数情報として、前記Ｒ色の主成分光（Ｆｒｍ）および前記Ｇ色の主成分光（Ｆｇｍ）、前記Ｂ色の主成分光（Ｆｂｍ）それぞれの基準波長 λro，λgo，λbo における等色関数 ｘe(λ)，ｙe(λ)，ｚe(λ) の値、すなわち ｘe(λro)，ｙe(λro)，ｚe(λro) と ｘe(λgo)，ｙe(λgo)，ｚe(λgo) と ｘe(λbo)，ｙe(λbo)，ｚe(λbo) 、および前記した式２０，式２１，式２２に基づく、波長の変化に対する関数の変化率 Ｆxro，Ｆyro，Ｆzro と Ｆxgo，Ｆygo，Ｆzgo と Ｆxbo，Ｆybo，Ｆzbo 、さらに、前記Ｒ色出力光束（Ｆｒ）を構成する付加光（Ｆｒａ）および前記Ｇ色出力光束（Ｆｇ）を構成する付加光（Ｆｇａ）、前記Ｂ色出力光束（Ｆｂ）を構成する付加光（Ｆｂａ）それぞれの基準波長 λro，λgo，λbo における等色関数の値、すなわち ｘe(λgo')，ｙe(λgo')，ｚe(λgo') や ｘe(λgo")，ｙe(λgo")，ｚe(λgo") 、ｘe(λro')，ｙe(λro')，ｚe(λro') 、ｘe(λbo')，ｙe(λbo)，ｚe(λbo) 等のうちの必要なものを事前に準備しておく。
【０１４０】
以上の値を前記した式２４，式２５，式２６に適用して、前記Ｒ色出力光束（Ｆｒ）および前記Ｇ色出力光束（Ｆｇ）、前記Ｂ色出力光束（Ｆｂ）それぞれ毎に、三刺激値 Ｘr，Ｙr，Ｚr と Ｘg，Ｙg，Ｚg と Ｘb，Ｙb，Ｚb の値を求め、また前記した式２８に適用して色度座標のｙ座標 ｙr，ｙg，ｙb の値を求める。
【０１４１】
これらの値を前記した式２９，式３２，式３５に適用して、ψr，ψg，ψb の変化に対して ｙr，ｙg，ｙb が変化するときの傾きの値を求め、適当なダンピング係数 Ｄ ＝ ０〜１ を介して、前記した式３０，式３３，式３６により、前記Ｒ色出力光束（Ｆｒ）および前記Ｇ色出力光束（Ｆｇ）、前記Ｂ色出力光束（Ｆｂ）それぞれの色度座標のｙ座標の目標値 ｙrp，ｙgp，ｙbp を実現するに適した、光束強度指示値 ψr，ψg，ψb の変化量 Δψr，Δψg，Δψb を決定することにより、前記した式３１，式３４，式３７前記した Ψr，Ψg，Ψb に対する ψr，ψg，ψb の比率 ｈr，ｈg，ｈb を更新する。
ただし、前記したＧ色出力光束が前記色度座標点（ｃｇ”）である場合は、前記した式４０に基づき、目標値 ｘgp を実現する Δψg を決定する。
【０１４２】
以上で述べた比率 ｈr，ｈg，ｈb の値の更新は、後述する前記Ｒ色出力光束（Ｆｒ）および前記Ｇ色出力光束（Ｆｇ）、前記Ｂ色出力光束（Ｆｂ）を総合した光の色を目標値に維持するためのフィードバック制御ループのなかで実行され、目標からの差異が小さくなるよう常にフィードバック的に補正が行われる。
なお、前記したダンピング係数は、これを小さくするほど変化量 Δψr，Δψg，Δψb が全体的に小さく抑えられ、フィードバック制御の行き過ぎや発振などの不安定現象を防止する効果がある。
ただし、あまり小さくすると補正の完了までに過剰な時間が掛かるなどの不都合が生ずる可能性があるため、実験的に好適な値を決めるとよい。
【０１４３】
ここまで、フィードバック制御により前記Ｒ色出力光束（Ｆｒ）および前記Ｇ色出力光束（Ｆｇ）、前記Ｂ色出力光束（Ｆｂ）それぞれの色度座標のｙ座標の目標値を実現する方法について述べたが、この方法の利点は、前記した、前記Ｒ色出力光束（Ｆｒ）の前記付加光（Ｆｒａ）用発光素子への出力電力 ｐr と前記付加光（Ｆｒａ）の光束強度指示値 ψr との関係、および前記Ｇ色出力光束（Ｆｇ）の前記付加光（Ｆｇａ）用発光素子への出力電力 ｐg と前記付加光（Ｆｇａ）の光束強度指示値 ψg との関係、前記Ｂ色出力光束（Ｆｂ）の前記付加光（Ｆｂａ）用発光素子への出力電力 ｐb と前記付加光（Ｆｂａ）の光束強度指示値 ψb との関係それぞれにおいて、仮に非線形性があっても、フィードバック的に補正が行われるため、正しく目標値が維持されることである。
【０１４４】
しかし、各付加光用発光素子への出力電力の、定格電力に対する余裕度が十分大きいなどの理由により、前記した非線形性が無い、もしくは十分に弱い場合は、比率 ｈr，ｈg，ｈb の値を、フィードバック制御によらず、直接計算によって決定することも可能である。
以下においては、この直接計算による決定方法について述べる。
【０１４５】
前記した式２４の第２式、および式２７の第１式、式２８の第１式より、以下の式
ｙr・Ψr・{    ｘe(λro) ＋ Ｆxro・Δλr 
＋ ｙe(λro) ＋ Ｆyro・Δλr
＋ ｚe(λro) ＋ Ｆzro・Δλr } 
＋ ｙr・ψr・{ ｘe(λgo') ＋ ｙe(λgo') ＋ ｚe(λgo') }
＝ Ψr・{ ｙe(λro) ＋ Ｆyro・Δλr } ＋ ψr・ｙe(λgo')
が得られるから、これから主成分光（Ｆｒｍ）と付加光（Ｆｇａ）の光束強度指示値の比率 ψr／Ψr を求めると、以下の式（式４１）
ｈr ＝  ψr／Ψr
＝ { ｙe(λro) ＋ Ｆyro・Δλr
−ｙr・{     ｘe(λro) ＋ Ｆxro・Δλr 
＋ ｙe(λro) ＋ Ｆyro・Δλr
＋ ｚe(λro) ＋ Ｆzro・Δλr }
} ／ { ｙr・{ ｘe(λgo') ＋ ｙe(λgo') ＋ ｚe(λgo') } −ｙe(λgo') }
を得る。
【０１４６】
Ｇ色出力光束が図４の前記色度座標点（ｃｇ）である場合、同様に、 ψg／Ψg を求めると、以下の式（式４２）
ｈg ＝  ψg／Ψg
＝ { ｙe(λgo) ＋ Ｆygo・Δλg
−ｙg・{     ｘe(λgo) ＋ Ｆxgo・Δλg 
＋ ｙe(λgo) ＋ Ｆygo・Δλg
＋ ｚe(λgo) ＋ Ｆzgo・Δλg }
} ／ { ｙg・{ ｘe(λro') ＋ ｙe(λro') ＋ ｚe(λro') } −ｙe(λro') }
を得る。
Ｇ色出力光束が前記色度座標点（ｃｇ’）である場合には、この式において、基準波長 λro' を λbo' に置換えれば適用できる。
【０１４７】
さらに同様に、 ψb／Ψb を求めると、以下の式（式４３）
ｈb ＝  ψb／Ψb
＝ { ｙe(λbo) ＋ Ｆybo・Δλb
−ｙb・{     ｘe(λbo) ＋ Ｆxbo・Δλb 
＋ ｙe(λbo) ＋ Ｆybo・Δλb
＋ ｚe(λbo) ＋ Ｆzbo・Δλb }
} ／ { ｙb・{ ｘe(λgo") ＋ ｙe(λgo") ＋ ｚe(λgo") } −ｙe(λgo") }
を得る。
【０１４８】
一方、前記したものと同様にＧ色出力光束が、図４の前記色度座標点（ｃｇ”）に対応して、付加光（Ｆｇａ）をＲ色とＢ色の両方とする場合は、付加光の基準波長は λro' と λbo' との何れかであり、以下、付加光の基準波長が λro' の場合について記せば、前記した式２５の第１式、および式２７の第２式、さらに以下の式（式４４）
ｘg ＝ Ｘg／Ｔg
より ψg／Ψg を求めると、以下の式（式４５）
ｈg ＝  ψg／Ψg
＝ { ｘe(λgo) ＋ Ｆxgo・Δλg
−ｙg・{     ｘe(λgo) ＋ Ｆxgo・Δλg 
＋ ｙe(λgo) ＋ Ｆxgo・Δλg
＋ ｚe(λgo) ＋ Ｆzgo・Δλg }
} ／ { ｘg・{ ｘe(λro') ＋ ｙe(λro') ＋ ｚe(λro') } −ｙe(λro') }
を得る。
【０１４９】
次に、前記Ｒ色出力光束（Ｆｒ）および前記Ｇ色出力光束（Ｆｇ）、前記Ｂ色出力光束（Ｆｂ）を総合した光について、三刺激値 Ｘ，Ｙ，Ｚ がその目標値に維持されるよう、あるいは色度座標 ｘ，ｙ および明るさ Ｙ がその目標値に維持されるようフィードバック制御を行うために、前記光束強度指示値 Ψr，Ψg，Ψb を微小変化させるときの変化量 ΔΨr，ΔΨg，ΔΨb を決定するについて述べる。
【０１５０】
前記したように、光の色に相関する色相指示値として色度座標 ｘ，ｙ に注目し、また明るさに相関する明度指示値として Ｙ に注目し、それらを安定化制御することについて述べた。
しかし ｘ，ｙ，Ｙ の系と Ｘ，Ｙ，Ｚ の系とは、前記した式２と以下の式（式１９）
Ｘ ＝ Ｙ・ｘ／ｙ
Ｚ ＝ Ｙ・(１ − ｘ − ｙ)／ｙ
によって互いに変換が可能であるため、三刺激値は色度座標に相関する量であり、したがって、光の色に相関する色相指示値として、色度座標または三刺激値の何れをも採用することができる。
当然、前記したように、これら以外の他の表色系の量であっても、色度座標に相関するものであれば同様に採用することができる。
そこで先ず、前記Ｒ色出力光束（Ｆｒ）および前記Ｇ色出力光束（Ｆｇ）、前記Ｂ色出力光束（Ｆｂ）を総合した光については、制御対象を三刺激値 Ｘ，Ｙ，Ｚ とし、これがその目標値 Ｘp，Ｙp，Ｚp に維持されるように制御する場合について説明する。
【０１５１】
前記Ｒ色出力光束（Ｆｒ）および前記Ｇ色出力光束（Ｆｇ）、前記Ｂ色出力光束（Ｆｂ）を総合した光についての三刺激値 Ｘ，Ｙ，Ｚ は、前記した式２４，式２５，式２６に記載した、各色光束それぞれの Ｘ，Ｙ，Ｚ の各成分毎の和によって求められ、Ｘ については以下の式（式４６）
Ｘ ＝ Ｘr ＋ Ｘg＋ Ｘb
＝   Ψr・{ ｘe(λro) ＋ Ｆxro・Δλr } ＋ ψr・ｘe(λgo')
＋ Ψg・{ ｘe(λgo) ＋ Ｆxgo・Δλg } ＋ ψg・ｘe(λro')
＋ Ψb・{ ｘe(λbo) ＋ Ｆxbo・Δλb } ＋ ψb・ｘe(λgo")
＝ Ｈxr・Ψr ＋ Ｈxg・Ψg ＋ Ｈxb・Ψb
ただし、
Ｈxr ＝ ｘe(λro) ＋ Ｆxro・Δλr ＋ ｈr・ｘe(λgo')
Ｈxg ＝ ｘe(λgo) ＋ Ｆxgo・Δλg ＋ ｈg・ｘe(λro')
Ｈxb ＝ ｘe(λbo) ＋ Ｆxbo・Δλb ＋ ｈb・ｘe(λgo")
また、Ｙ については以下の式（式４７）
Ｙ ＝ Ｙr ＋ Ｙg＋ Ｙb
＝   Ψr・{ ｙe(λro) ＋ Ｆyro・Δλr } ＋ ψr・ｙe(λgo')
＋ Ψg・{ ｙe(λgo) ＋ Ｆygo・Δλg } ＋ ψg・ｙe(λro')
＋ Ψb・{ ｙe(λbo) ＋ Ｆybo・Δλb } ＋ ψb・ｙe(λgo")
＝ Ｈyr・Ψr ＋ Ｈyg・Ψg ＋ Ｈyb・Ψb
ただし、
Ｈyr ＝ ｙe(λro) ＋ Ｆyro・Δλr ＋ ｈr・ｙe(λgo')
Ｈyg ＝ ｙe(λgo) ＋ Ｆygo・Δλg ＋ ｈg・ｙe(λro')
Ｈyb ＝ ｙe(λbo) ＋ Ｆybo・Δλb ＋ ｈb・ｙe(λgo")
さらにＺ については以下の式（式４８）
Ｚ ＝ Ｚr ＋ Ｚg＋ Ｚb
＝   Ψr・{ ｚe(λro) ＋ Ｆzro・Δλr } ＋ ψr・ｚe(λgo')
＋ Ψg・{ ｚe(λgo) ＋ Ｆzgo・Δλg } ＋ ψg・ｚe(λro')
＋ Ψb・{ ｚe(λbo) ＋ Ｆzbo・Δλb } ＋ ψb・ｚe(λgo")
＝ Ｈzr・Ψr ＋ Ｈzg・Ψg ＋ Ｈzb・Ψb
ただし、
Ｈzr ＝ ｚe(λro) ＋ Ｆzro・Δλr ＋ ｈr・ｚe(λgo')
Ｈzg ＝ ｚe(λgo) ＋ Ｆzgo・Δλg ＋ ｈg・ｚe(λro')
Ｈzb ＝ ｚe(λbo) ＋ Ｆzbo・Δλb ＋ ｈb・ｚe(λgo")
を得る。
【０１５２】
前記した式４６，式４７，式４８より、光束強度指示値 Ψr，Ψg，Ψb を微小変化させたときの三刺激値 Ｘ，Ｙ，Ｚ の変化 ΔＸ，ΔＹ，ΔＺ は、以下の式（式４９）
ΔＸ ＝ Ｈxr・ΔΨr ＋ Ｈxg・ΔΨg ＋ Ｈxb・ΔΨb
ΔＹ ＝ Ｈyr・ΔΨr ＋ Ｈyg・ΔΨg ＋ Ｈyb・ΔΨb
ΔＺ ＝ Ｈzr・ΔΨr ＋ Ｈzg・ΔΨg ＋ Ｈzb・ΔΨb
のように表すことができる。
かくして前記Ｒ色出力光束（Ｆｒ）および前記Ｇ色出力光束（Ｆｇ）、前記Ｂ色出力光束（Ｆｂ）それぞれについての前記光束強度指示値を微小変化させたときの前記総合色相指示値の変化量を、前記した前記光束強度指示値の変化量を用いて、その線形演算で表すことができ、また、そのときの係数を、前記Ｒ色出力光束（Ｆｒ）および前記Ｇ色出力光束（Ｆｇ）、前記Ｂ色出力光束（Ｆｂ）それぞれについての前記光束強度指示値および前記波長偏差指示値を用いて決定することができた。
【０１５３】
フィードバック制御において、現在の三刺激値 Ｘ，Ｙ，Ｚ の値に対し、これらをその目標値 Ｘp，Ｙp，Ｚp に近づけるために、光束強度指示値 Ψr，Ψg，Ψb に微小変化 ΔΨr，ΔΨg，ΔΨb を与えると考えると、ダンピング係数 Ｄ ＝ ０〜１ として、以下の式（式５０）
ΔＸ ＝ Ｄ・{Ｘp −Ｘ}
ΔＹ ＝ Ｄ・{Ｙp −Ｙ}
ΔＺ ＝ Ｄ・{Ｚp −Ｚ}
によって ΔＸ，ΔＹ，ΔＺ の値を決めれば、前記した式４９は ΔΨr，ΔΨg，ΔΨb に関する初等的な３元連立１次方程式と見ることができ、全ての係数が決まっているため、容易に解くことができて、前記光束強度指示値の微小変化量 ΔΨr，ΔΨg，ΔΨb の値を求めることができる。
前記した式１７に従って、求めた ΔΨr，ΔΨg，ΔΨb を元の Ψr，Ψg，Ψb に加えて光束強度指示値の新しい目標値 Ψrp，Ψgp，Ψbp を算出し、前記した式１３を介して、前記駆動回路（Ｐｒ１，Ｐｒ２，…，Ｐｒａ，Ｐｇ１，Ｐｇ２，…）の電力 Ｐr，Ｐg，Ｐb を更新することができる。
【０１５４】
なお、Ψr，Ψg，Ψb は、前記したように前記Ｒ色の主成分光（Ｆｒｍ）および前記Ｇ色の主成分光（Ｆｇｍ）、前記Ｂ色の主成分光（Ｆｂｍ）それぞれに関する、前記光束強度指示値であって、前記Ｒ色出力光束（Ｆｒ）および前記Ｇ色出力光束（Ｆｇ）、前記Ｂ色出力光束（Ｆｂ）の光束強度指示値ではないが、フィードバック制御ループのなかのあるステップにおいて、前記した Ψr，Ψg，Ψb に対する ψr，ψg，ψb の比率 ｈr，ｈg，ｈb を一旦決定すれば、次にその値を更新するまでは、前記した式１５に従って前記駆動回路（Ｐｒ１，Ｐｒ２，…，Ｐｒａ，Ｐｇ１，Ｐｇ２，…）それぞれの出力電力を設定するため、その光束のスペクトルの形が決まることになり、よってある波長での強度の値を決めれば、その値がその光束全体の強度に相関することになる。
【０１５５】
以上、前記した Ψr，Ψg，Ψb に対する ψr，ψg，ψb の比率 ｈr，ｈg，ｈb を更新した後、前記光束強度指示値たる Ψr，Ψg，Ψb を微小変化させたときの前記総合色相指示値たる Ｘ，Ｙ，Ｚ の変化量を、前記した前記光束強度指示値たる Ψr，Ψg，Ψb の変化量を用いて、その線形演算で表した式４９を介したフィードバック制御の仕方についてまとめると以下のようである。
【０１５６】
先ず、基準波長からの偏差 Δλr，Δλg，Δλb や比率 ｈr，ｈg，ｈb に依存する係数 Ｈxr，Ｈxg，Ｈxb，Ｈyr，Ｈyg，Ｈyb，Ｈzr，Ｈzg，Ｈzb の値を、式４６，式４７，式４８に従い事前に準備しておく。
光束強度指示値 Ψr，Ψg，Ψb に基づき式４６，式４７，式４８を介して算出した三刺激値 Ｘ，Ｙ，Ｚ と、その目標値 Ｘp，Ｙp，Ｚp とを式５０に適用すると式４９の左辺が決定されるから、これを３元連立１次方程式と見て解き、前記光束強度指示値の微小変化量 ΔΨr，ΔΨg，ΔΨb の値を求める。
【０１５７】
前記制御回路（Ｍｃ）は、前記光束強度指示値の現在の値 Ψr，Ψg，Ψb に対し、いま求めた ΔΨr，ΔΨg，ΔΨb を式１７に適用して光束強度指示値の新しい目標値 Ψrp，Ψgp，Ψbp を算出し、式１３に従って前記駆動回路（Ｐｒ１，Ｐｒ２，…，Ｐｇ１，…，Ｐｂ１，…）の電力 Ｐr，Ｐg，Ｐb を更新する。
また、既に決定済みの前記した比率 ｈr，ｈg，ｈb を前記した式１５に適用して、ψr，ψg，ψb の目標値 ψrp，ψgp，ψbp を決定し、式１４に従って前記駆動回路（Ｐｒａ，Ｐｇａ，Ｐｂａ，…）の電力 ｐr，ｐg，ｐb を更新する。
そして前記光束色度強度相関データ（Ｄｒ，Ｄｇ，Ｄｂ）を取得する動作に戻り、以降、記載したシーケンスを繰り返すようにすることにより、フィードバック制御ループが構築される。
【０１５８】
なお、前記したダンピング係数は、これを小さくするほど変化量 ΔΨr，ΔΨg，ΔΨb が全体的に小さく抑えられ、フィードバック制御の行き過ぎや発振などの不安定現象を防止する効果がある。
ただし、あまり小さくすると補正の完了までに過剰な時間が掛かるなどの不都合が生ずる可能性があるため、実験的に好適な値を決めるとよい。
【０１５９】
ところで、前記光束強度指示値 Ψr，Ψg，Ψb のうちの一つ、例えば Ψr を、何らかの事情により別途決める場合（例えば定格に達した場合など）は、三刺激値の目標値 Ｘp，Ｙp，Ｚp を満足させることはできず、明るさを維持することを断念して、光の色を、目標とするものに維持するよう、制御の様式を変更する必要がある。
上において述べた三刺激値 Ｘ，Ｙ，Ｚ が、その目標値 Ｘp，Ｙp，Ｚp に維持されるように制御する方法の場合、光の色の目標を維持したまま、例えば Ψr が所定の値となるよう、明るさを小さくしたい場合は、三刺激値の目標値 Ｘp，Ｙp，Ｚp それぞれを、適当に決めた、ある同じ割合で縮小することを試行し、フィードバックループを実際に回してみて、Ψr が所定の値になるような適当な割合が見つかるまで、試行錯誤する必要がある。
【０１６０】
これに対し、光の色に相関する色相指示値たる色度座標 ｘ，ｙ と、明るさに相関する明度指示値たる Ｙ とを制御対象とし、ｘ，ｙ，Ｙ をその目標値 ｘp，ｙp，Ｙp に維持する制御方式を実現できれば、例えば Ψr の値を不変にしたまま、色度座標 ｘ，ｙ のみを目標値に維持するフィードバック制御を行うことが可能となる。
以下において、制御対象を ｘ，ｙ，Ｙ とし、これがその目標値 ｘp，ｙp，Ｙp に維持されるように制御する場合について説明する。
【０１６１】
色度座標 ｘ，ｙ を計算するために、三刺激値 Ｘ，Ｙ，Ｚ に関する前記した式４６，式４７，式４８を適用すれば、さらに Ｘ，Ｙ，Ｚ の和に関する以下の式（式５１）
Ｔ ＝ Ｘ＋Ｙ＋Ｚ
＝   { Ｈxr ＋ Ｈyr ＋ Ｈzr }・Ψr
＋ { Ｈxg ＋ Ｈyg ＋ Ｈzg }・Ψg
＋ { Ｈxb ＋ Ｈyb ＋ Ｈzb }・Ψb
＝ Ｉr・Ψr ＋Ｉg・Ψg ＋Ｉb・Ψb
ただし、
Ｉr ＝ Ｈxr ＋ Ｈyr ＋ Ｈzr
Ｉg ＝ Ｈxg ＋ Ｈyg ＋ Ｈzg
Ｉb ＝ Ｈxb ＋ Ｈyb ＋ Ｈzb
を得る。
したがって、被測定光束 Ｓ(λ) に関する前記した式２の色度座標 ｘ，ｙ は、前記した式４６，式４７，式５１を用いた以下の式（式５２）
ｘ ＝ Ｘ／Ｔ
ｙ ＝ Ｙ／Ｔ
の計算で求められる。
【０１６２】
一般に、関数 ｆ ＝ ｆ(ｕ，ｖ，ｗ) の変数 ｕ，ｖ，ｗ が微小変化したときの関数の変化は、ｆ の偏微分係数 δｆ/δｕ，δｆ/δｖ，δｆ/δｗ を用いて、以下の式（式５３）
Δｆ ＝ (δｆ/δｕ)・Δｕ ＋ (δｆ/δｖ)・Δｖ ＋ (δｆ/δｗ)・Δｗ
のように近似できる。
色度座標 ｘ，ｙ および明るさ Ｙ が、前記光束強度指示値 Ψr，Ψg，Ψb を変数とする関数であると見て、以下の式（式５４）
Ｊxr ＝ δｘ/δΨr ＝ { δＸ/δΨr・Ｔ − Ｘ・δＴ/δΨr }／{Ｔ・Ｔ}
＝ { Ｈxr・Ｔ − Ｉr・Ｘ }／{Ｔ・Ｔ}
＝ { Ｈxr − Ｉr・ｘ }／Ｔ
Ｊxg ＝ δｘ/δΨg ＝ { Ｈxg − Ｉg・ｘ }／Ｔ
Ｊxb ＝ δｘ/δΨb ＝ { Ｈxb − Ｉb・ｘ }／Ｔ
Ｊyr ＝ δｙ/δΨr ＝ { Ｈyr − Ｉr・ｙ }／Ｔ
Ｊyg ＝ δｙ/δΨg ＝ { Ｈyg − Ｉg・ｙ }／Ｔ
Ｊyb ＝ δｙ/δΨb ＝ { Ｈyb − Ｉb・ｙ }／Ｔ
のように偏微分係数の値を具体的に決めれば、Ψr，Ψg，Ψb を微小変化させたときの ｘ，ｙ，Ｙ の変化量は、以下の式（式５５）
Δｘ ＝ Ｊxr・ΔΨr ＋Ｊxg・ΔΨg ＋Ｊxb・ΔΨb
Δｙ ＝ Ｊyr・ΔΨr ＋Ｊyg・ΔΨg ＋Ｊyb・ΔΨb
ΔＹ ＝ Ｈyr・ΔΨr ＋Ｈyg・ΔΨg ＋Ｈyb・ΔΨb
のように表すことができる。
【０１６３】
かくして前記Ｒ色出力光束（Ｆｒ）および前記Ｇ色出力光束（Ｆｇ）、前記Ｂ色出力光束（Ｆｂ）それぞれについての前記光束強度指示値を微小変化させたときの前記総合色相指示値の変化量を、前記した前記光束強度指示値の変化量を用いて、その線形演算で表すことができ、また、そのときの係数を、前記Ｒ色出力光束（Ｆｒ）および前記Ｇ色出力光束（Ｆｇ）、前記Ｂ色出力光束（Ｆｂ）それぞれについての前記光束強度指示値および前記波長偏差指示値を用いて決定することができた。
ただし、式５５の３番目の（ ΔＹ に関する）式は、式４７から得られる次の関係に基づく。
δＹ/δΨr ＝ Ｈyr
δＹ/δΨg ＝ Ｈyg
δＹ/δΨb ＝ Ｈyb
【０１６４】
前記した式５０に関して述べたものと同様に、フィードバック制御において、現在の ｘ，ｙ，Ｙ の値に対し、これらをその目標値 ｘp，ｙp，Ｙp に近づけるために、Ψr，Ψg，Ψb を微小変化させると考えると、ダンピング係数 Ｄ ＝ ０〜１ として、以下の式（式５６）
Δｘ ＝ Ｄ・{ｘp −ｘ}
Δｙ ＝ Ｄ・{ｙp −ｙ}
ΔＹ ＝ Ｄ・{Ｙp −Ｙ}
によって Δｘ，Δｙ，ΔＹ の値を決めれば、前記した式５５は ΔΨr，ΔΨg，ΔΨb に関する初等的な３元連立１次方程式と見ることができ、全ての係数が決まっているため、容易に解くことができて、前記光束強度指示値の微小変化量 ΔΨr，ΔΨg，ΔΨb の値を求めることができる。
【０１６５】
以上、前記した Ψr，Ψg，Ψb に対する ψr，ψg，ψb の比率 ｈr，ｈg，ｈb を更新した後、前記光束強度指示値たる Ψr，Ψg，Ψb を微小変化させたときの前記総合色相指示値たる ｘ，ｙ，Ｙ の変化量を、前記した前記光束強度指示値たる Ψr，Ψg，Ψb の変化量を用いて、その線形演算で表した式５５を介したフィードバック制御の仕方についてまとめると以下のようである。
【０１６６】
前記光束強度指示値 Ψr，Ψg，Ψb と、前記波長偏差指示値たる基準波長からの偏差 Δλr，Δλg，Δλb の値を、前記した式４６，式４７，式５１に適用すれば、補助係数 Ｈxr，Ｈxg，Ｈxb と Ｈyr，Ｈyg，Ｈyb と Ｈzr，Ｈzg，Ｈzb と Ｉr，Ｉg，Ｉb を介して、三刺激値の Ｘ と Ｙ そして Ｔ が求められ、そしてこれらを前記した式５２に適用して色度座標 ｘ，ｙ の値を求めることができる。
値を求めた ｘ，ｙ，Ｙ と、その目標値 ｘp，ｙp，Ｙp とを前記した式５６に適用すると前記した式５５の左辺が決定され、また前記した式５４の Ｊxr，Ｊxg，Ｊxb と Ｊyr，Ｊyg，Ｊyb によって前記した式５５の右辺の係数が決定されるから、これを３元連立１次方程式と見て解き、前記光束強度指示値の微小変化量 ΔΨr，ΔΨg，ΔΨb の値を求める。
【０１６７】
前記制御回路（Ｍｃ）は、前記光束強度指示値の現在の値 Ψr，Ψg，Ψb に対し、いま求めた ΔΨr，ΔΨg，ΔΨb を式１７に適用して光束強度指示値の新しい目標値 Ψrp，Ψgp，Ψbp を算出し、式１３に従って前記駆動回路（Ｐｒ１，Ｐｒ２，…，Ｐｇ１，…，Ｐｂ１，…）の電力 Ｐr，Ｐg，Ｐb を更新する。
また、既に決定済みの前記した比率 ｈr，ｈg，ｈb を前記した式１５に適用して、ψr，ψg，ψb の目標値 ψrp，ψgp，ψbp を決定し、式１４に従って前記駆動回路（Ｐｒａ，Ｐｇａ，Ｐｂａ，…）の電力 ｐr，ｐg，ｐb を更新する。
そして前記光束色度強度相関データ（Ｄｒ，Ｄｇ，Ｄｂ）を取得する動作に戻り、以降、記載したシーケンスを繰り返すようにすることにより、フィードバック制御ループが構築される。
【０１６８】
なお、前記光束強度指示値 Ψr，Ψg，Ψb のうちの一つ、例えば ΔΨr を、何らかの事情により別途決める場合（例えば定格に達した場合など）は、これを前記した式５５の方程式の未知数から定数に変更して、以下の式（式５７）
Δｘ−Ｊxr・ΔΨr ＝ Ｊxg・ΔΨg ＋Ｊxb・ΔΨb
Δｙ−Ｊyr・ΔΨr ＝ Ｊyg・ΔΨg ＋Ｊyb・ΔΨb
のように組み換えた方程式を適用すればよく、これは初等的な２元連立１次方程式であるから容易に解くことができて、ΔΨg，ΔΨb を求めることができる。
ただし、このようにした場合は、明るさ Ｙ を目標値に維持することはできなくなるが、色度座標 ｘ，ｙ を目標値に維持するフィードバック制御は実行することができる。
【０１６９】
ここで、前記した式５，式１０に記載した、被測定光束 Ｓ(λ) をデルタ関数で近似することの妥当性について補足しておく
同じ色であっても複数個の発光素子を集めた場合、発光波長のバラツキがあるため、それらを総合した光のスペクトル Ｓ(λ) は、正確には前記した式５，式１０のようなデルタ関数にはならない。
しかし、発光波長のバラツキがあっても、同じ波長帯域に属する全ての発光素子を総合し、その波長の平均値に等しい波長を有する、仮想的な単色光源に置き換えると考えれば、前記した議論が成立する。
ただし、同じ波長帯域に属する全ての発光素子を総合した場合は、波長のバラツキに起因したスペクトル幅の拡がりが存在することになり、その結果、色度座標が少しだけ白色方向に移動する。
しかし、この移動量は僅かである上、本光源装置における色度座標等の計算の目的は、正確な絶対値を確定することではなく、発光素子の温度上昇などに起因して発光波長が変化し、白バランスが崩れるものを、フィードバック制御で補正することであり、波長のバラツキに起因したスペクトル幅の拡がりは、そのような発光波長の変化が生じる前から存在していたものであるから、前記した計算の目的に照らして、実用上の問題は無い。
【０１７０】
また、フィードバック制御の目標値 ｘp，ｙp，Ｙp についても補足しておく。
前記したように本光源装置における色度座標等の計算の目的が正確な絶対値を確定することではないことを前提として、種々の近似計算を行っている。
そのため、目標値 ｘp，ｙp，Ｙp を数値で与えても、フィードバック制御によって達成される状態が所望のものになるかどうかは不明であり、このような使い方は適当ではない。
例えばプロジェクタに応用する場合で言えば、本光源装置をプロジェクタの実機に実際に搭載し、フィードバック制御を停止させた状態で、白色となるべき画像をスクリーンに投影させ、所望の白色が得られるよう、本光源装置のＲ，Ｇ，Ｂそれぞれの強度を手動で調整し、調整が完了したときの本光源装置自身による ｘ，ｙ，Ｙ の測定値を、その目標値 ｘp，ｙp，Ｙp として記憶するとよい。
記憶された目標値の実際の値については無頓着でも構わず、それ以降は、フィードバック制御を実行すれば、所望の白色が得られる状態が達成される。
なお、ここで ｘp，ｙp，Ｙp について述べたことは、三刺激値の目標値 Ｘp，Ｙp，Ｚp に対しても同様である。
【０１７１】
ここまで、前記した式８，式１１，式１２を解いて基準波長からの偏差 Δλr，Δλg，Δλb を求め、その値を使ってその時点での三刺激値 Ｘ，Ｙ，Ｚ や色度座標 ｘ，ｙ を計算することについて述べた。
また、フィードバック制御のための線形方程式である前記した式４９や式５５の係数 Ｈxr，Ｈxg，Ｈxb，Ｈyr，Ｈyg，Ｈyb，Ｈzr，Ｈzg，Ｈzb および Ｊxr，Ｊxg，Ｊxb，Ｊyr，Ｊyg，Ｊyb の決定の際にも、求めた基準波長からの偏差 Δλr，Δλg，Δλb の値を使用する計算方法を提示した。
図２においては、１種類の色の要素光源からの、総合された出力光束に対しては、１個の光束特性測定手段を設ける構成を示した。
この構成の場合は、前記制御回路（Ｍｃ）が算出する基準波長からの偏差 Δλr，Δλg，Δλb は、各色毎に１個の値が決まるため、ここまで述べてきたような、前記した係数 Ｈxr，Ｈxg，Ｈxb，Ｈyr，Ｈyg，Ｈyb，Ｈzr，Ｈzg，Ｈzb および Ｊxr，Ｊxg，Ｊxb，Ｊyr，Ｊyg，Ｊyb が Δλr，Δλg，Δλb に依存する計算手法が直接に適用可能である。
【０１７２】
しかし、図１に示した、要素光源毎に光束特性測定手段を設ける構成のように、１種類の色の出力光束に対して複数個の光束特性測定手段が存在する場合、それぞれの光束特性測定手段で測定された光束色度強度相関データに基づいて基準波長からの偏差 Δλr，Δλg，Δλb を算出すると、普通は、その値は光束特性測定手段毎に異なったものとなる。
このような場合でも、前記した式１に従って、その色の出力光束の総合した三刺激値 Ｘ，Ｙ，Ｚ や色度座標 ｘ，ｙ は計算で定量化できるし、各色毎の三刺激値や色度座標が定量化できれば、前記Ｒ色出力光束（Ｆｒ）および前記Ｇ色出力光束（Ｆｇ）、前記Ｂ色出力光束（Ｆｂ）を総合した光についても三刺激値や色度座標が定量化できる。
また、平均値を採用することにすれば、その色の基準波長からの偏差も１個の値に決めることができるため、同様に前記した係数が Δλr，Δλg，Δλb に依存する計算手法が間接的に適用可能である。
【０１７３】
しかしながら、例えば、三刺激値 Ｘ，Ｙ，Ｚ や色度座標 ｘ，ｙ の値を直接測定できるセンサを利用する場合などでは、前記した係数が Δλr，Δλg，Δλb に依存する計算手法は適用できない。
以降においては、このような場合にでも適用可能な、基準波長からの偏差 Δλr，Δλg，Δλb を全て零とおく近似を行って値を決定する計算手法について説明する。
【０１７４】
Δλr，Δλg，Δλb を全て零とおく近似を行うことにより、計算の精度は悪化するものの、この悪化の影響は、前記した式４９や式５５を解いて得るベクトル ΔＸ，ΔＹ，ΔＺ および Δｘ，Δｙ，ΔＹ の方向が、近似しない場合のそれに対し、幾らかのズレを生ずるという形で現れるが、この計算は、フィードバック制御ループのなかで繰返し行われるため、ズレがあったとしても結局は、三刺激値 Ｘ，Ｙ，Ｚ や色度座標 ｘ，ｙ は、その目標値 Ｘp，Ｙp，Ｚp や ｘp，ｙp に漸近して行くことになるからである。
ただし、このような近似を行う場合は、目標への漸近の速さが劣る可能性があるが、係数の計算が簡略化される利点がある。
【０１７５】
前記した基準波長からの偏差を零とおく近似の下での前記光束強度指示値を、近似しない場合のものと同じ記号で Ψr，Ψg，Ψb と書けば、三刺激値 Ｘ，Ｙ，Ｚ に関する前記した式４６，式４７，式４８に対応するものは、以下の式（式５８）
Ｘ ＝ Ｈxro・Ψr ＋ Ｈxgo・Ψg ＋ Ｈxbo・Ψb
Ｙ ＝ Ｈyro・Ψr ＋ Ｈygo・Ψg ＋ Ｈybo・Ψb
Ｚ ＝ Ｈzro・Ψr ＋ Ｈzgo・Ψg ＋ Ｈzbo・Ψb
ただし、
Ｈxro ＝ ｘe(λro) ＋ ｈr・ｘe(λgo')
Ｈxgo ＝ ｘe(λgo) ＋ ｈg・ｘe(λro')
Ｈxbo ＝ ｘe(λbo) ＋ ｈb・ｘe(λgo")
Ｈyro ＝ ｙe(λro) ＋ ｈr・ｙe(λgo')
Ｈygo ＝ ｙe(λgo) ＋ ｈg・ｙe(λro')
Ｈybo ＝ ｙe(λbo) ＋ ｈb・ｙe(λgo")
Ｈzro ＝ ｚe(λro) ＋ ｈr・ｚe(λgo')
Ｈzgo ＝ ｚe(λgo) ＋ ｈg・ｚe(λro')
Ｈzbo ＝ ｚe(λbo) ＋ ｈb・ｚe(λgo")
のように表すことができる。
【０１７６】
これより、前記した式４９の代わりに、フィードバック制御ループのなかで解くべき方程式として、以下の式（式５９）
ΔＸ ＝ Ｈxro・ΔΨr ＋ Ｈxgo・ΔΨg ＋ Ｈxbo・ΔΨb
ΔＹ ＝ Ｈyro・ΔΨr ＋ Ｈygo・ΔΨg ＋ Ｈybo・ΔΨb
ΔＺ ＝ Ｈzro・ΔΨr ＋ Ｈzgo・ΔΨg ＋ Ｈzbo・ΔΨb
を得る。
かくして前記Ｒ色出力光束（Ｆｒ）および前記Ｇ色出力光束（Ｆｇ）、前記Ｂ色出力光束（Ｆｂ）それぞれについての前記光束強度指示値を微小変化させたときの前記総合色相指示値の変化量を、前記した前記光束強度指示値の変化量を用いて、その線形演算で表すことができ、また、そのときの係数を決定することができた。
【０１７７】
これらの左辺の ΔＸ，ΔＹ，ΔＺ の値は、三刺激値の目標値 Ｘp，Ｙp，Ｚp と、その時点での三刺激値 Ｘ，Ｙ，Ｚ の値とに基づき、前記した式５０により計算すればよい。
なお、三刺激値 Ｘ，Ｙ，Ｚ の値は、前記Ｒ色光束特性測定手段（Ａｒ）を用いて測定した前記Ｒ色主成分光第１光量データと前記Ｒ色主成分光第２光量データ Ｒm，Ｒn 、前記Ｇ色光束特性測定手段（Ａｇ）を用いて測定した前記Ｇ色主成分光第１光量データと前記Ｇ色主成分光第２光量データ Ｇm，Ｇn 、前記Ｂ色光束特性測定手段（Ａｂ）を用いて測定した前記Ｂ色主成分光第１光量データと前記Ｂ色主成分光第２光量データ Ｂm，Ｂn を取得して前記した式８，式１１，式１２からなる方程式を解き、前記光束強度指示値 Ψr，Ψg，Ψb と、前記波長偏差指示値たる基準波長からの偏差 Δλr，Δλg，Δλb とを求めた上で、前記した式４６，式４７，式４８によって計算して決定すればよい。
【０１７８】
また同じく、基準波長からの偏差を零とおく近似の下で、色度座標 ｘ，ｙ に関する前記した式５１の Ｉr，Ｉg，Ｉb 、および式５４に対応するものは、基準波長からの偏差 Δλr，Δλg，Δλb を零とおいて、以下の式（式６０）
Ｉro ＝ Ｈxro ＋ Ｈyro ＋ Ｈzro
Ｉgo ＝ Ｈxgo ＋ Ｈygo ＋ Ｈzgo
Ｉbo ＝ Ｈxbo ＋ Ｈybo ＋ Ｈzbo
および以下の式（式６１）
Ｊxro ＝ { Ｈxro − Ｉro・ｘ }／Ｔ
Ｊxgo ＝ { Ｈxgo − Ｉgo・ｘ }／Ｔ
Ｊxbo ＝ { Ｈxbo − Ｉbo・ｘ }／Ｔ
Ｊyro ＝ { Ｈyro − Ｉro・ｙ }／Ｔ
Ｊygo ＝ { Ｈygo − Ｉgo・ｙ }／Ｔ
Ｊybo ＝ { Ｈybo − Ｉbo・ｙ }／Ｔ
のように表すことができる。
ただし、ｘ，ｙ および Ｔ は、前記したように、前記Ｒ色光束特性測定手段（Ａｒ）を用いて測定した前記Ｒ色主成分光第１光量データと前記Ｒ色主成分光第２光量データ Ｒm，Ｒn 、前記Ｇ色光束特性測定手段（Ａｇ）を用いて測定した前記Ｇ色主成分光第１光量データと前記Ｇ色主成分光第２光量データ Ｇm，Ｇn 、前記Ｂ色光束特性測定手段（Ａｂ）を用いて測定した前記Ｂ色主成分光第１光量データと前記Ｂ色主成分光第２光量データ Ｂm，Ｂn を取得して前記した式８，式１１，式１２からなる方程式を解き、前記光束強度指示値 Ψr，Ψg，Ψb と、前記波長偏差指示値たる基準波長からの偏差 Δλr，Δλg，Δλb とを求めた上で、前記した式４６，式４７，式４８によって計算された三刺激値 Ｘ，Ｙ，Ｚ の値を、前記した式５１の最上段の表現、すなわち以下の式
Ｔ ＝ Ｘ＋Ｙ＋Ｚ    (再録)
および式５２に適用して計算する。
【０１７９】
そして、前記した式５５の代わりに、フィードバック制御ループのなかで解くべき方程式として、以下の式（式６２）
Δｘ ＝ Ｊxro・ΔΨr ＋Ｊxgo・ΔΨg ＋Ｊxbo・ΔΨb
Δｙ ＝ Ｊyro・ΔΨr ＋Ｊygo・ΔΨg ＋Ｊybo・ΔΨb
ΔＹ ＝ Ｈyro・ΔΨr ＋Ｈygo・ΔΨg ＋Ｈybo・ΔΨb
を得る。
かくして前記Ｒ色出力光束（Ｆｒ）および前記Ｇ色出力光束（Ｆｇ）、前記Ｂ色出力光束（Ｆｂ）それぞれについての前記光束強度指示値を微小変化させたときの前記総合色相指示値の変化量を、前記した前記光束強度指示値の変化量を用いて、その線形演算で表すことができ、また、そのときの係数を決定することができた。
【０１８０】
これらの左辺の Δｘ，Δｙ，ΔＹ の値は、色度座標と明度指示値 Ｙ の目標値 ｘp，ｙp，Ｙp と、その時点での ｘ，ｙ，Ｙ の値とに基づき、前記した式５６により計算すればよい。
当然、このように基準波長からの偏差を零とおく近似を行う場合でも、前記した式５７を挙げて説明したものと同じ手法を用いることによって、前記光束強度指示値 Ψr，Ψg，Ψb のうちの一つを方程式６２から除外し、色度座標 ｘ，ｙ のみを目標値に維持するフィードバック制御を実行することが可能である。
【０１８１】
なお、ここで述べた基準波長からの偏差を零とおく近似を行う場合でも、前記した前記駆動回路（Ｐｒ１，Ｐｒ２，…，Ｐｒａ，Ｐｇ１，Ｐｇ２，…）のなかの、前記Ｒ色出力光束（Ｆｒ）を構成する発光素子を駆動するものの出力電力の総和 Ｐtr 、および前記Ｇ色出力光束（Ｆｇ）を構成する発光素子を駆動するものの出力電力の総和 Ｐtg 、前記Ｂ色出力光束（Ｆｂ）を構成する発光素子を駆動するものの出力電力の総和 Ｐtb それぞれの決定に関しては、前記した式１３，式１６，式１７を有効に使用することができる。
前記した式５９または式６２を解いて変化量 ΔΨr，ΔΨg，ΔΨb を求めたならば、前記制御回路（Ｍｃ）は、前記光束強度指示値の現在の値 Ψr，Ψg，Ψb に対し、いま求めた ΔΨr，ΔΨg，ΔΨb を式１７に適用して光束強度指示値の新しい目標値 Ψrp，Ψgp，Ψbp を算出し、式１３に従って前記駆動回路（Ｐｒ１，Ｐｒ２，…，Ｐｇ１，…，Ｐｂ１，…）の電力 Ｐr，Ｐg，Ｐb を更新する。
また、既に決定済みの前記した比率 ｈr，ｈg，ｈb を前記した式１５に適用して、ψr，ψg，ψb の目標値 ψrp，ψgp，ψbp を決定し、式１４に従って前記駆動回路（Ｐｒａ，Ｐｇａ，Ｐｂａ，…）の電力 ｐr，ｐg，ｐb を更新する。
そして前記光束色度強度相関データ（Ｄｒ，Ｄｇ，Ｄｂ）を取得する動作に戻り、以降、記載したシーケンスを繰り返すようにすることにより、フィードバック制御ループが構築される。
【０１８２】
因みに、前記した式５８のそれぞれの左辺の三刺激値 Ｘ，Ｙ，Ｚ の値は、前記したように、前記Ｒ色光束特性測定手段（Ａｒ）を用いて測定した前記Ｒ色主成分光第１光量データと前記Ｒ色主成分光第２光量データ Ｒm，Ｒn 、前記Ｇ色光束特性測定手段（Ａｇ）を用いて測定した前記Ｇ色主成分光第１光量データと前記Ｇ色主成分光第２光量データ Ｇm，Ｇn 、前記Ｂ色光束特性測定手段（Ａｂ）を用いて測定した前記Ｂ色主成分光第１光量データと前記Ｂ色主成分光第２光量データ Ｂm，Ｂn を取得して前記した式８，式１１，式１２からなる方程式を解き、前記光束強度指示値 Ψr，Ψg，Ψb と、前記波長偏差指示値たる基準波長からの偏差 Δλr，Δλg，Δλb とを求めた上で、前記した式４６，式４７，式４８によって計算するものとして、前記した式１６，式１７に適用するための光束強度指示値 Ψr，Ψg，Ψb については、前記した式５８を方程式と見て、それを解いて求めた値を使うこともできる。
【０１８３】
先に、前記第１光量検出器（Ａｒｍ１）と前記第２光量検出器（Ａｒｍ２）とを別体のものとして構成する例を説明したが、前記第１光量検出器（Ａｒｍ１）と前記第２光量検出器（Ａｒｍ２）とは、同じ光量検出器に対して交互に特性変化を与えることにより、時間分割によって実現することもできる。
この場合、前記第１光量検出器（Ａｒｍ１）と前記第２光量検出器（Ａｒｍ２）とは、光センサを共有しており、前記第２光量検出器（Ａｒｍ２）として働く場合は、前記第１光量検出器（Ａｒｍ１）として働く場合とは異なる特性フィルタ（Ｅｒｓ１，Ｅｒｓ２）を設けるようにすればよい。
【０１８４】
例えば、本発明の光源装置の一部を簡略化して示す模式図である図６に記載のように、図５に関して説明したものと同様の共通光センサ（Ｃｒ０）の前面に、特性フィルタ（Ｅｒｓ１，Ｅｒｓ２）を装着したフィルタ枠（Ｋｔ）を配置し、矢印（Ｋａ）のように前記フィルタ枠（Ｋｔ）を移動させることにより、前記共通光センサ（Ｃｒ０）の前面に前記第１の特性フィルタ（Ｅｒｓ１）が位置するときは前記第１光量検出器（Ａｒｍ１）として働き、前記第２の特性フィルタ（Ｅｒｓ２）が位置するときは前記第２光量検出器（Ａｒｍ２）として働くようにすることができる。
【０１８５】
なお、前記主成分光フィルタ（Ｅｒｔｍ）は、図５では前記第１の特性フィルタ（Ｅｒｓ１）および前記第２の特性フィルタ（Ｅｒｓ２）に対し前置してあったものを、図６では後置してあるが、この前後は何れでも構わない。
また図６では前記特性フィルタ（Ｅｒｓ１，Ｅｒｓ２）を往復させるものを記載したが、前記特性フィルタ（Ｅｒｓ１，Ｅｒｓ２）を配置した円板状の枠を設け、それを回転させるようにしてもよい。
【０１８６】
本発明の光源装置は、前記第１光量検出器（Ａｒｍ１）、前記第２光量検出器（Ａｒｍ２）それぞれの前記特性フィルタ（Ｅｒｓ１，Ｅｒｓ２）が有する分光感度特性の相違に基づく、同じ波長の光に対する光検出信号の差によって前記光束強度指示値と前記波長偏差指示値を算出するものであるため、もし、前記第１光量検出器（Ａｒｍ１）、前記第２光量検出器（Ａｒｍ２）それぞれの光センサ素子において、経時変化や温度ドリフト等の変動によって相異なる感度変化を生ずれば、前記光束強度指示値と前記波長偏差指示値の算出に誤差が生ずる恐れがある。
しかし、このように光センサを共有させることにすれば、前記第１光量検出器（Ａｒｍ１）と前記第２光量検出器（Ａｒｍ２）とに切り換えての光量測定の時間間隔が、前記した変動の時間スケールより十分短い限り、前記した変動の影響を受けないようにできる利点が生まれる。
【０１８７】
光センサとしては、光量の大小を検出するものだけでなく、撮像素子も使用可能であり、前記Ｒ色光束特性測定手段（Ａｒ）および前記Ｇ色光束特性測定手段（Ａｇ）、前記Ｂ色光束特性測定手段（Ａｂ）が有する光センサの何れかを撮像素子とすることができる。
【０１８８】
図２に関連して光ファイバを用いて光を伝送する構成について説明したが、光ファイバは石英などの脆弱なガラスを素材としているため、破断の危険性があるという欠点がある。
光ファイバが破断すると、破断箇所から光パワーが漏洩して光ファイバを機械的に保護するために設けた被覆材に吸収され、被覆材が焼損に至る可能性があるため、光ファイバの破断が起きれば、それを検知して発光素子を消灯する安全対策が必要となる。
全体として大きなパワーを伝送する場合は、同じ色の光に対しても複数本の光ファイバに分割することが、光学系の構成上も、安全性の面からも有利であるが、その場合は、全光ファイバからの総合光量を監視するだけではなく、光ファイバ１本づつの光量を監視し、個別に破断を検知できることが望ましい。
【０１８９】
前記したように、前記出射端（Ｅｏｒ１，Ｅｏｒ２，…）が同一平面上に位置するように揃えて、前記光ファイバ（Ｅｆｒ１，Ｅｆｒ２，…）の出射端部を束ねたものの場合、前記出射端（Ｅｏｒ１，Ｅｏｒ２，…）が位置する平面の像を、レンズ等を用いて撮像素子に投影することにより、光ファイバ１本づつを識別して光量を監視し、個別に破断を検知することが可能となる。
【０１９０】
次に、本発明のプロジェクタの実施例の一形態を簡略化して示す図である図７を用いて、本発明を実施するための形態として、本発明の光源装置を利用した、本発明のプロジェクタの、特に光ファイバおよびその出射端以降の、より具体的な構成について述べる。
【０１９１】
本光源装置は、Ｒ，Ｇ，Ｂ３原色に対応する、各色複数本の光ファイバからなるファイババンドル、すなわちＲ色光源用のファイババンドル（Ｅｆｒ）、Ｇ色光源用のファイババンドル（Ｅｆｇ）、Ｂ色光源用のファイババンドル（Ｅｆｂ）それぞれは、それぞれの各光ファイバの出射端を揃えて束ねられて構成される。
なお、各ファイババンドルを含んでそれより前側の構成については、例えば図２に記載したようである。
【０１９２】
これら３本のファイババンドルの出射端（Ｅｏｒ，Ｅｏｇ，Ｅｏｂ）の像を、それぞれコリメータレンズ（Ｅｓｒ，Ｅｓｇ，Ｅｓｂ）を用いて無限遠の像に変換することによって、Ｒ色出力光束（Ｆｒ）およびＧ色出力光束（Ｆｇ）、Ｂ色出力光束（Ｆｂ）を生成する。
これら各光束は、それぞれミラー（Ｈｕｒ，Ｈｕｇ，Ｈｕｂ）で反射され、それぞれ前段フライアイレンズ（Ｆ１ｒ，Ｆ１ｇ，Ｆ１ｂ）および後段フライアイレンズ（Ｆ２ｒ，Ｆ２ｇ，Ｆ２ｂ）、偏光整列機能素子（Ｐｃｒ，Ｐｃｇ，Ｐｃｂ）、照明レンズ（Ｅｊｒ，Ｅｊｇ，Ｅｊｂ）からなる、前記したフライアイインテグレータによる光均一化手段（Ｆｍｒ，Ｆｍｇ，Ｆｍｂ）に入射される。
そして前記光均一化手段（Ｆｍｒ，Ｆｍｇ，Ｆｍｂ）から出たそれぞれの光束によって、２次元光振幅変調素子たるＲ色画像用ＬＣＤ（Ｄｍｒ）およびＧ色画像用ＬＣＤ（Ｄｍｇ）、Ｂ色画像用ＬＣＤ（Ｄｍｂ）が照明され、その透過光束がダイクロイックプリズム（Ｍｊ）によって３色合成され、カラー画像を構成する光束（Ｆｏ）となる。
この光束は、投影レンズによってスクリーンに投影される（図示を省略）。
【０１９３】
前記ミラー（Ｈｕｒ，Ｈｕｇ，Ｈｕｂ）は、それぞれに入射される前記Ｒ色出力光束（Ｆｒ）および前記Ｇ色出力光束（Ｆｇ）、前記Ｂ色出力光束（Ｆｂ）それぞれを構成する主成分光および付加光を効率的に反射するように作成される。
しかし、反射されない透過光が少なからず存在し、普通これらの光は迷光として捨てられるが、図７の本光源装置においては、これを有効利用して測定用光束（Ｆｒ’，Ｆｇ’，Ｆｂ’）を得るようにしてある。
そして前記測定用光束（Ｆｒ’，Ｆｇ’，Ｆｂ’）は、それぞれ前記Ｒ色光束特性測定手段（Ａｒ）および前記Ｇ色光束特性測定手段（Ａｇ）、前記Ｂ色光束特性測定手段（Ａｂ）に入射される。
【０１９４】
なお、本実施例は、フライアイインテグレータによる光均一化手段を用いたＬＣＤプロジェクタについて記載したが、当然ながら、本発明のプロジェクタは、先に図９に関して述べたＬＣＯＳ(TM)プロジェクタや、先に図８に関して述べた、光ガイドによる光均一化手段を用いたＤＭＤ(TM)プロジェクタにおいても適用できる。
【産業上の利用可能性】
【０１９５】
本発明は、プロジェクタなどの光学装置において使用可能な、複数種類の異なる波長帯域の、半導体レーザなどの発光素子を用いた光源装置を設計・製造する産業において利用可能である。
【符号の説明】
【０１９６】
Ａｂ      Ｂ色光束特性測定手段
Ａｇ      Ｇ色光束特性測定手段
Ａｒ      Ｒ色光束特性測定手段
Ａｒｍ１  第１光量検出器
Ａｒｍ２  第２光量検出器
Ｂ        青色
ｃｂ      色度座標点
ｃｇ      色度座標点
ｃｇ’    色度座標点
ｃｇ”    色度座標点
ｃｒ      色度座標点
Ｃｒ０    共通光センサ
Ｃｒ１    光センサ
Ｃｒ２    光センサ
Ｃｒａ    光センサ
Ｄｂ      光束色度強度相関データ
Ｄｇ      光束色度強度相関データ
Ｄｍｂ    Ｂ色画像用ＬＣＤ
Ｄｍｇ    Ｇ色画像用ＬＣＤ
ＤｍｊＡ  ２次元光振幅変調素子
ＤｍｊＢ  ２次元光振幅変調素子
Ｄｍｒ    Ｒ色画像用ＬＣＤ
Ｄｒ      光束色度強度相関データ
Ｅｃｒ１  集光光学系
Ｅｃｒ２  集光光学系
Ｅｆｂ    ファイババンドル
Ｅｆｇ    ファイババンドル
Ｅｆｒ    ファイババンドル
Ｅｆｒ１  光ファイバ
Ｅｆｒ２  光ファイバ
Ｅｉｒ１  入射端
Ｅｉｒ２  入射端
Ｅｊ１Ａ  照明レンズ
Ｅｊ１Ｂ  照明レンズ
Ｅｊ２Ａ  投影レンズ
Ｅｊ２Ｂ  フィールドレンズ
Ｅｊ３Ｂ  投影レンズ
Ｅｊｂ    照明レンズ
Ｅｊｇ    照明レンズ
Ｅｊｒ    照明レンズ
Ｅｏｂ    出射端
Ｅｏｇ    出射端
Ｅｏｒ    出射端
Ｅｏｒ１  出射端
Ｅｏｒ２  出射端
Ｅｒｓ１  特性フィルタ
Ｅｒｓ２  特性フィルタ
Ｅｒｔａ  付加光フィルタ
Ｅｒｔｍ  主成分光フィルタ
Ｅｓｂ    コリメータレンズ
Ｅｓｇ    コリメータレンズ
Ｅｓｒ    コリメータレンズ
Ｆ１Ｂ    前段フライアイレンズ
Ｆ１ｂ    前段フライアイレンズ
Ｆ１ｇ    前段フライアイレンズ
Ｆ１ｒ    前段フライアイレンズ
Ｆ２Ｂ    後段フライアイレンズ
Ｆ２ｂ    後段フライアイレンズ
Ｆ２ｇ    後段フライアイレンズ
Ｆ２ｒ    後段フライアイレンズ
Ｆｂ      Ｂ色出力光束
Ｆｂ’    測定用光束
Ｆｂａ    付加光
Ｆｂｍ    主成分光
Ｆｇ      Ｇ色出力光束
Ｆｇ’    測定用光束
Ｆｇａ    付加光
Ｆｇｍ    主成分光
ＦｍＡ    光均一化手段
ＦｍＢ    光均一化手段
Ｆｍｂ    光均一化手段
Ｆｍｇ    光均一化手段
Ｆｍｒ    光均一化手段
Ｆｏ      光束
Ｆｒ      Ｒ色出力光束
Ｆｒ’    測定用光束
Ｆｒａ    付加光
Ｆｒｍ    主成分光
Ｆｒｓ１  主成分光測定用光束
Ｆｒｓ２  主成分光測定用光束
Ｆｒｔａ  付加光測定用光束
Ｆｒｔｍ  主成分光測定用光束
Ｇ        緑色
Ｈｒ      光量測定回路
Ｈｕｂ    ミラー
Ｈｕｇ    ミラー
Ｈｕｒ    ミラー
Ｊｂａ    駆動回路制御信号
Ｊｇ１    駆動回路制御信号
Ｊｇ２    駆動回路制御信号
Ｊｒ１    駆動回路制御信号
Ｊｒ２    駆動回路制御信号
Ｊｒａ    駆動回路制御信号
Ｋａ      矢印
Ｋｔ      フィルタ枠
Ｌ１ｒ１  発光素子
Ｌ１ｒ２  発光素子
Ｌ１ｒａ  発光素子
Ｌ２ｒ１  発光素子
Ｌ２ｒ２  発光素子
Ｌ２ｒａ  発光素子
Ｌｂ１    発光素子
Ｌｂ２    発光素子
Ｌｂａ    発光素子
ＬＣＤ    液晶デバイス
Ｌｇ１    発光素子
Ｌｇ２    発光素子
Ｌｇａ    発光素子
Ｌｒ１    発光素子
Ｌｒ２    発光素子
Ｌｒａ    発光素子
Ｍｃ      制御回路
Ｍｊ      ダイクロイックプリズム
ＭｊＡ    ミラー
ＭｊＢ    偏光ビームスプリッタ
Ｐｂ１    駆動回路
Ｐｂ２    駆動回路
Ｐｂａ    駆動回路
ＰｃＢ    偏光整列機能素子
Ｐｃｂ    偏光整列機能素子
Ｐｃｇ    偏光整列機能素子
Ｐｃｒ    偏光整列機能素子
Ｐｇ１    駆動回路
Ｐｇ２    駆動回路
Ｐｇａ    駆動回路
ＰｍｉＡ  入射端
ＰｍｉＢ  入射端
ＰｍｏＡ  射出端
ＰｍｏＢ  射出端
Ｐｒ１    駆動回路
Ｐｒ２    駆動回路
Ｐｒａ    駆動回路
Ｒ        赤色
ＳｊＡ    光源
ＳｊＢ    光源
Ｓｒｍ１  光検出信号
Ｓｒｍ２  光検出信号
Ｓｒｍａ  光検出信号
Ｔｊ      スクリーン
Ｕｂ１    要素光源
Ｕｇ１    要素光源
Ｕｒ１    要素光源
Ｕｒ２    要素光源
Ｗ        白色
ＺｉＢ    入射光軸
【図１】
0005880496.tif 000002
【図２】
0005880496.tif 000003
【図３】
0005880496.tif 000004
【図４】
0005880496.tif 000005
【図５】
0005880496.tif 000006
【図６】
0005880496.tif 000007
【図７】
0005880496.tif 000008
【図８】
0005880496.tif 000009
【図９】
0005880496.tif 000010